(57)【特許請求の範囲】
【請求項１】
少なくとも二つの側面部材を備えた耐荷重構造体と、
ウェブ材料の第一層のための第一軌道と、
ウェブ材料の第二層のための第二軌道と、
第一軌道に沿って設けられ、第一の交換可能なエンボス加工ローラと協働し、該第一のエンボス加工ローラと共にウェブ材料の第一層のための第一エンボス加工ニップを画定する第一加圧ローラと、
第二軌道に沿って設けられ、第二の交換可能なエンボス加工ローラと協働し、該第二のエンボス加工ローラと共にウェブ材料の第二層のための第二エンボス加工ニップを画定する第二加圧ローラと、
複数の交換可能なエンボス加工ローラ用の複数のシートを有するマガジンと、
少なくとも一つのエンボス加工ローラ交換用の第一マニピュレータと
を備え、
第一マニピュレータが、
エンボス加工ローラと選択的に係合して、そのエンボス加工ローラを移動し、かつ、エンボス加工ローラを解放し、かつ、
選択的に、エンボス加工ローラを作動位置から取り、そのエンボス加工ローラをマガジンまで移送し、かつ、マガジンシートの一つにそのエンボス加工ローラを解放し、さらに、各マガジンシートからエンボス加工ローラを取り、それを移送して作動位置で解放するよう
に構成され、かつ、制御され、
さらに、前記マニピュレータが、異なる向きの二つの軸線に沿った移動動作を有し、
第一マニピュレータが、各エンボス加工ローラのための対向する支持部材を備え、
前記支持部材がエンボス加工ローラの各端部と係合してエンボス加工ローラを取り、それをマガジンに解放するか、又は、その逆の動作をするように動かされ、
二つの軸線に沿ったマニピュレータの動作が、周囲のローラから交換される必要があるエンボス加工ローラを自由にし、除去すべきローラを容易に動かすことができるようにし、かつ、その場所に置かれる新しいエンボス加工ローラを容易に動かすことができるようにする
ことを特徴とするエンボス・ラミネート加工装置。
【請求項２】
前記二つの軸線が相互に直交する
ことを特徴とする請求項１に記載のエンボス・ラミネート加工装置。
【請求項３】
少なくとも二つの側面部材を備えた耐荷重構造体と、
ウェブ材料の第一層のための第一軌道と、
ウェブ材料の第二層のための第二軌道と、
第一軌道に沿って設けられ、第一の交換可能なエンボス加工ローラと協働し、該第一のエンボス加工ローラと共にウェブ材料の第一層のための第一エンボス加工ニップを画定する第一加圧ローラと、
第二軌道に沿って設けられ、第二の交換可能なエンボス加工ローラと協働し、該第二のエンボス加工ローラと共にウェブ材料の第二層のための第二エンボス加工ニップを画定する第二加圧ローラと、
複数の交換可能なエンボス加工ローラ用の複数のシートを有するマガジンと、
第一軌道にあるエンボス加工ローラを交換するための第一マニピュレータと、
第二軌道にあるエンボス加工ローラを交換するための第二マニピュレータと
を備え、
前記第一マニピュレータ及び前記第二マニピュレータの各々が、
エンボス加工ローラと選択的に係合して、そのエンボス加工ローラを移動し、かつ、エンボス加工ローラを解放し、かつ、
選択的に、エンボス加工ローラを作動位置から取り、そのエンボス加工ローラをマガジンまで移送し、かつ、マガジンシートの一つにそのエンボス加工ローラを解放し、さらに、各マガジンシートからエンボス加工ローラを取り、それを移送して作動位置で解放するように構成され、かつ、制御され、
さらに、前記各マニピュレータが、エンボス加工ローラの軸線と実質的に平行な軸線を中心とした回転動作を有し、
第一マニピュレータ及び第二マニピュレータの各々が、各エンボス加工ローラのための対向する支持部材を備え、
前記支持部材がエンボス加工ローラの各端部と係合してエンボス加工ローラを取り、それをマガジンに解放するか、又は、その逆の動作をするように動かされ、
第一マニピュレータ及び第二マニピュレータの各々の各軸線を中心とした回転動作が、周囲のローラから交換される必要があるエンボス加工ローラを自由にし、除去すべきローラを容易に動かすことができるようにし、かつ、その場所に置かれる新しいエンボス加工ローラを容易に動かすことができるようにする
ことを特徴とするエンボス・ラミネート加工装置。
【請求項４】
第一エンボス加工ローラ用の第一支持及び回転システムと第二エンボス加工ローラ用の第二支持及び回転システムとさらに備え、
前記第一支持及び回転システムと、第二支持及び回転システムとが、前記少なくとも一つの第一マニピュレータを用いて、第一エンボス加工ローラ及び第二エンボス加工ローラの取り外し及び交換を互いに別々にできるように構成されている
ことを特徴とする請求項１、２又は３に記載のエンボス・ラミネート加工装置。
【請求項５】
第一マニピュレータが、耐荷重構造体の側面部材の間に配置され、前記側面部材の間に、第一加圧ローラ、第二加圧ローラ、第一エンボス加工ローラ、第二エンボス加工ローラ及びマガジンが配置されている
ことを特徴とする請求項１〜４の何れか一項に記載のエンボス・ラミネート加工装置。
【請求項６】
第一加圧ローラ及び第二加圧ローラが、各々耐荷重構造体に対して移動可能に支持され、
作動位置を取るために、加圧ローラが各エンボス加工ローラに押し付けられ、
解放位置を取るために、加圧ローラが各エンボス加工ローラから離される
ことを特徴とする請求項１〜５の何れか一項に記載のエンボス・ラミネート加工装置。
【請求項７】
第一マニピュレータが、第一エンボス加工ローラ及び第二エンボス加工ローラを、マガジンに収容された各エンボス加工ローラと交換するよう配置され、かつ、構成されている
ことを特徴とする請求項１〜６の何れか一項に記載のエンボス・ラミネート加工装置。
【請求項８】
第一マニピュレータが、第一及び第二エンボス加工ローラが配置されている第一の高さと、第一の高さより低いマガジンが配置されている第二の高さとの間で移動可能なエレベータを有する
ことを特徴とする請求項１〜７の何れか一項に記載のエンボス・ラミネート加工装置。
【請求項９】
マガジンが、第一及び第二エンボス加工ローラ並びに第一及び第二加圧ローラより低い位置に配置されている
ことを特徴とする請求項１〜８の何れか一項に記載のエンボス・ラミネート加工装置。
【請求項１０】
マガジンが、第一及び第二エンボス加工ローラの軸線に対して直交する方向に移動可能であり、並進動作を持つ複数のシートを備え、前記並進動作が、概して水平方向である
ことを特徴とする請求項１〜９の何れか一項に記載のエンボス・ラミネート加工装置。
【請求項１１】
第一マニピュレータに、マガジンが位置する下方位置と、第一及び第二のエンボス加工ローラが配置される一つ又は複数の上方位置との間の昇降動作が与えられ、かつ、
第一マニピュレータに、第一エンボス加工ローラ又は第二エンボス加工ローラに向かうか、又は、それから離れる動作が与えられ、このローラに向かい又は離れる動作が、並進動作であり、概して、昇降動作と交差する
ことを特徴とする請求項１〜１０の何れか一項に記載のエンボス・ラミネート加工装置。
【請求項１２】
マニピュレータが、
昇降動作が与えられた少なくとも一つのスライドと、
昇降動作と交差する方向の動作が与えられ、第一及び第二エンボス加工ローラへ向かって動き、かつ、これらのエンボス加工ローラから離れる方向に動くキャリッジと
を備え、
前記マガジンがキャリッジの下方に配置されている
ことを特徴とする請求項１〜１１の何れか一項に記載のエンボス・ラミネート加工装置。
【請求項１３】
キャリッジが、前記第一層又は第二層の一方に接着剤を塗布するように構成された接着ユニットを支持している
ことを特徴とする請求項１２に記載のエンボス・ラミネート加工装置。
【請求項１４】
第一軌道に沿った第一エンボス加工ローラと、第二軌道に沿った第二エンボス加工ローラとが、
各エンボス加工ローラを解放するように構成された可逆拘束部材を用いて支持構造体に回転可能に拘束され、かつ、
マニピュレータを用いて、その移動を可能にし、かつ、前記マニピュレータを用いてマガジンから移送してきたエンボス加工ローラをそれと交換することを可能にする
ことを特徴とする請求項１〜１３の何れか一項に記載のエンボス・ラミネート加工装置。
【請求項１５】
可逆拘束部材が、各エンボス加工ローラに対して、その内部に各エンボス加工ローラ用の支持ベアリングが挿入される一対の開放可能なシートを有し、
各開放可能なシートが、開放可能なシートの開放及び丙さを制御するための作動装置を備えている
ことを特徴とする請求項１４に記載のエンボス・ラミネート加工装置。
【請求項１６】
開放可能なシートの開放及び閉鎖がマニピュレータの動きと合うように、開放可能なシート及び第一マニピュレータが構成されて制御され、
エンボス加工ローラを開放可能なシートから除去しなければならない時に、第一マニピュレータがエンボス加工ローラに係合した後にのみ開放可能なシートが開き、
エンボス加工ローラを開放しているシートに挿入しなければならない時に、マニピュレータがエンボス加工ローラを開放する前に開放可能なシートが閉じる
ように構成した
ことを特徴とする請求項１５に記載のエンボス・ラミネート加工装置。
【請求項１７】
各エンボス加工ローラが、モータ駆動装置からの回転運動用の変速装置と関連付けされ、
前記変速装置が、エンボス加工ローラの回転軸線と直交する方向へのエンボス加工ローラの動きによって、エンボス加工ローラの取り出しと、マガジンから取り出した他のエンボス加工ローラへの取り換えとを可能にするよう構成されている
ことを特徴とする請求項１〜１６の何れか一項に記載のエンボス・ラミネート加工装置。
【請求項１８】
前記変速装置が、
各エンボス加工ローラ用に、ローラのシャフトに取り付けられるプーリと、
エンボス加工ローラを作動位置に装着されている時に、前記プーリの周りに部分的に掛けられるように構成された連続可撓性部材と
を備え、
エンボス加工ローラが動作位置にある時に、前記連続可撓性部材が、エンボス加工ローラの回転軸を囲んでいない閉軌道を形成する
ことを特徴とする請求項１７に記載のエンボス・ラミネート加工装置。
【請求項１９】
各エンボス加工ローラが、一対の支持及び回転ベアリングを有し、
エンボス加工ローラがマガジンへ又はマガジンから移送される時に、これら支持及び回転ベアリングがエンボス加工ローラと共に動かされる
ことを特徴とする請求項１〜１８の何れか一項に記載のエンボス・ラミネート加工装置。
【発明の詳細な説明】
【技術分野】
【０００１】
本発明は、例えば、特に、多層セルロース材料のような多層ウェブ材料を処理するための機械又は装置に関する。より詳細には、本発明は、ティッシュペーパー用のエンボス・ラミネート加工装置又は機械の改良に関する。
【背景技術】
【０００２】
トイレットロール、キッチンロール、紙ハンカチ及びナプキン並びに同様の製品のようなセルロース層状製品の生産では、一対のスチールローラ、又は、鋼材若しくは他の比較的剛性な材料で形成されたローラと、例えば、ゴムのような柔軟な材料でコートされたローラとから成る一対のローラによって形成されたエンボス加工ニップに層を通してエンボス加工することによってウェブ材料の層を処理することが頻繁に行われている。スチールローラは加圧ローラの弾性的に柔軟なコーティングに侵入する突起を有する。エンボス加工ローラと加圧ローラとの間に及びされる圧力によって、エンボス加工ローラと加圧ローラとの間に形成されたエンボス加工ニップを通過するセルロース材料の層に恒久的な変形が生じる。少なくとも一つ、幾つか又は全てがエンボス加工された二つ以上の層が、その後、多層ウェブ材料を形成する。ウェブ材料は巻かれてロールを形成するか、又は、切断して折り畳まれてハンカチやナプキン等を形成する。
【０００３】
各層は、セルロース材料の一つ又は複数のレイヤから成り得る。
【０００４】
エンボス加工のパターンは、装飾的な目的のものと、機能的な目的のものとがある。機能的な観点から、エンボス加工は、ウェブ材料を形成する複数の層を互いに接着するために接着剤が塗布される限られた領域を作り出すのに役立つ。また、エンボス加工は、ウェブ材料の全体の厚さを増やし、柔軟性及び吸収能力を高め、かつ、当業者に知られている他の機能のためにも使用される。
【０００５】
エンボス・ラミネート加工装置は、一般的に、少なくとも一つの層に対してエンボス加工処理を行い、二つ又はそれ以上の層をラミネート処理し、前記層の少なくとも一つ、好ましくは、一つ又は複数の層に形成されたエンボス加工突起の少なくとも幾つかの突出した表面に接着剤を塗布することで一緒に接着する装置として定義される。
【０００６】
現代のティッシュペーパー製造ラインの要求にこたえるためには、例えば、トイレットペーパーの突起からキッチンペーパーの突起に、及びその逆に切り替えるために、ウェブ材料のパターンを変更し、かつ、その技術的機能特性を変更する両方のために、エンボス・ラミネート加工装置のエンボス加工ローラは変更する必要がある。実際、エンボス加工は、場合によっては、単に審美的なもの以上の機能的用途を有するため、トイレットペーパーを製造するために使用されるエンボスパターンは、キッチンペーパーの製造には必ずしも適しておらず、逆もまた同様である。また、種々なタイプの完成品の製造のためのセルロース層の堅さ、厚さ、重量および含有率は異なり得、あるタイプの製品から他のタイプの製品まで異なるエンボスパターンが要求される。
【０００７】
エンボス・ラミネート加工装置又はユニットは、エンボス加工ローラの交換処理の簡単さ及びスピードアップを目的とした特有の特徴を有する。欧州特許第1074382号（特許文献１）は、三つのエンボス加工ローラのセットが星型回転ユニットに取り付けられ、三つのエンボス加工ローラのうちの一方または他方を選択して、それを加圧ローラと協働させるようにし、それによりエンボス加工パターンの変更を行うようにするエンボス・ラミネート加工装置を開示している。必要なパターンのタイプに応じて、三つのローラのうちの一つ又は他のものが、星型回転ユニットを回転させることによって動作位置に移動される。欧州特許第1074382号に開示されたいくつかの実施例では、星型回転ユニットは、星型回転ユニットを回転させて、選択的に作動位置に移動され得る三対のエンボス加工ローラを支持しており、前記エンボス加工ローラは二つの加圧ローラと協働する。
【０００８】
この公知の装置は、特に複雑であり、エンボス加工ローラのために重い支持構造体を必要とし、これらのローラはそれぞれ、使用される一対のエンボス加工ローラを支持する同じ星型回転ユニットによって支持されたままである。さらに、この公知の装置は、一度に二つのローラを交換することを可能にするが、例えば、後続の処理のために他方を保持したまま、二つのエンボス加工ローラの一方のみを交換することはできない。他方で、幾つかの場合、対向する層のエンボス加工パターンを保持したまま、ある層のエンボ加工スパターンのみを変更することが有用である。これは、例えば、外側層の一つが、常に同じパターンでマイクロエンボス加工され、他方の外側層が装飾モチーフでエンボス加工される、処理順序に従って変化する両面材料の製造において特に当てはまる。 欧州特許第1074382号に記載された装置では、例え、全てのマイクロエンボス加工ローラが同じであっても、装飾エンボス加工ローラと同数のマイクロエンボス加工ローラを有することが必要になる。この結果、ローラの冗長性が生じ、その生産が非常に複雑になり、非常に高価になる。
【０００９】
欧州特許第1836045号（特許文献２）は、欧州特許第1074382号に開示された装置に対して改良された交換可能なエンボス加工ローラを有するエンボス・ラミネート加工装置を開示している。実際、欧州特許第1836045号に開示された装置は、マガジン内に複数の対のエンボス加工ローラを持ち、前記対の中から一つ又は他の対を選択し、それらをエンボス・ラミネート加工装置に挿入することを可能にしている。これは、欧州特許第1074382号の場合のように、装置に設けられた全てのエンボス加工ローラを同じ星型回転ユニットで装置に支持する必要が、もはやないことを意味する。一方では、これにより、エンボス加工装置を簡単化および軽量化することが可能になり、他方では、欧州特許第1074382号によって開示されたものよりはるかに多くの数の対の交換用ローラが利用可能となる。
【先行技術文献】
【特許文献】
【００１０】
【特許文献１】欧州特許第1074382号
【特許文献２】欧州特許第1836045号
【発明の概要】
【００１１】
現在の技術水準に関連する欠点及び問題の一つ又は複数を全部又は部分的に解決するエンボス・ラミネート加工装置が提供される。
【００１２】
一つの特徴によれば、少なくとも二つの側面部材から成る支持構造体を備えたエンボス・ラミネート加工装置が提供される。ウェブ材料の第一層のための第一軌道及びウェブ材料の第二層のための第二軌道が、前記二つの側面部材の間で伸びている。第一の交換可能なエンボス加工ローラと協働する第一加圧ローラが第一軌道に沿って配置される。第一エンボス加工ローラと第一加圧ローラとは、ウェブ材料の第一層のための第一エンボス加工ニップを形成する。第二の交換可能なエンボス加工ローラと協働する第二加圧ローラが、第二軌道に沿って配置される。第二エンボス加工ローラ及び第二加圧ローラは、ウェブ材料の第二層用の第二エンボス加工ニップを形成する。エンボス・ラミネート加工装置は、また、複数の交換可能なエンボス加工ローラのための複数のシートが設けられたマガジンを備え、各エンボス加工ローラが、第一及び第二エンボス加工ローラと交換され得る。また、少なくとも一つのマニピュレータが、エンボス加工ローラを交換するために設けられる。幾つかの実施例では、マニピュレータは、第一エンボス加工ローラ及び／又は第二エンボス加工ローラを、マガジンに収容されたエンボス加工ローラの一つ又は複数と交換するように構成され、かつ、制御される。
【００１３】
幾つかの実施例では、マガジン内のエンボス加工ローラのシートは、有利には、エンボス加工ローラが、ウェブ材料の層の第一及び第二軌道に沿って配置された、第一及び第二エンボス加工ローラの軸線及び第一及び第二加圧ローラの軸線と、それらの軸線が略平行になるようにシートに配置されるように構成されている。
【００１４】
有利な実施例では、マニピュレータは、交換するべきエンボス加工ローラを、各加圧ローラから離れる方向に、場合によっては、他のエンボス加工ローラから離れる方向に動かして、その後、マガジンまでそれを移送する動作を有する。逆の動作により、除去されたエンボス加工ローラの交換品としてマガジンから挿入されるべきエンボス加工ローラを取り出して、それを各加圧ローラ、及び、場合によっては他のエンボス加工ローラに向けて、そのエンボス加工ローラが心押台又は他の支持回転システムと軸線方向に整列する最終位置に到達するまで動かすことを可能にする。支持回転システムは、エンボス加工ローラを支持する各可逆式拘束手段を備え、ウェブ材料の各層の処理中にエンボス加工ローラを回転させ、マガジンから取り出した他のエンボス加工ローラと交換するためにエンボス加工ローラを取り外すことができるように構成されている。
【００１５】
例えば、マニピュレータは、エンボス加工ローラの軸線と実質的に平行な軸線を中心とした回転運動を有し得る。
【００１６】
別の実施例では、マニピュレータは、例えば、相互に直交する二つの軸線に沿った移動運動を有し得る。幾つかの実施例では、軸線の一方は水平であり、他方は垂直であり得る。概して、二つの移動軸線に沿ったマニピュレータの動き又は軸線を中心とした回転動作により、特に、加圧ローラ及び他のエンボス加工ローラ等の周囲のローラから交換される必要があるエンボス加工ローラを自由にし、除去するべきローラを容易に動かすことができるようにし、その場所に置かれる新しいローラを容易に動かすことができるようにしている。
【００１７】
慣例により、本明細書及び添付した特許請求の範囲では、「第一エンボス加工ローラ」及び「第二エンボス加工ローラ」の用語が、二つのエンボス加工ローラを識別するために使用される。これらのエンボス加工ローラは、第一軌道及び第二軌道に沿った作動位置に配置され、第一及び第二エンボス加工ニップを形成する。これらのローラの各々は、マガジンに収容されたエンボス加工ローラと交換され得る。従って、概して、マガジンに収容されたエンボス加工ローラの各々は、エンボス・ラミネート加工装置において第一又は第二エンボス加工ローラとして使用され得る。
【００１８】
幾つかの実施例によれば、第一マニピュレータが、耐荷重構造体の側面部材の間に配置され、側面部材の間には、第一加圧ローラ、第二加圧ローラ、第一エンボス加工ローラ、第二エンボス加工ローラ及びエンボス加工ローラマガジンが配置される。
【００１９】
エンボス加工ローラを簡単に除去して交換することを可能にするために、有利な実施例では、第一加圧ローラ及び第二加圧ローラが、耐荷重構造体に対して移動可能に配置され、加圧ローラが各エンボス加工ローラに押し付けられる作動位置と、加圧ローラが各エンボス加工ローラから離れておかれるアイドル位置とを取る。この目的のために、加圧ローラは、例えば、耐荷重構造体、典型的には、耐荷重構造体の側面部材にヒンジ止めされたアームによって、前記側面部材の間で支持され得る。
【００２０】
幾つかの実施例では、第一マニピュレータは、各エンボス加工ローラの対向する支持部材を備え、これら支持部材はエンボス加工ローラの各端部に係合する。この目的のために、エンボス加工ローラは、環状トラック、即ち、首部を有し得る。前記首部は、エンボス加工面、即ち、その上にエンボス加工突起が、例えば、彫刻によって形成される表面から軸線方向に突出する。
【００２１】
第一エンボス加工ローラ及び第二エンボス加工ローラは、各々耐荷重構造体によって支持された第一の一対の心押台及び第二の一対の心押台を用いて拘束され得る。各一対の心押台の少なくとも一方は、モータ駆動され得る。
【００２２】
エンボス加工ローラを、より簡単に、より効果的に操作するために、幾つかの実施例では、各対の心押台の両方に、エンボス加工ローラと結合し、かつ、エンボス加工ローラを解放するために、耐荷重構造体に対して、エンボス加工ローラの軸線と平行な動きが与えられる。
【００２３】
心押台は、トルク伝達面を用いてエンボス加工ローラに連結され得る。例えば、ローラ及び心押台に円錐又は切頭円錐表面が設けられ得る。より効果的なトルク伝達のために、心押台とエンボス加工ローラとの間に、前方歯連結部が設けられ得る。
【００２４】
有利な実施例では、ローラと心押台との間の結合面は、外面にエンボス加工突起が形成されるエンボス加工ローラの壁、即ち、円筒シェルの内側に設けられ得る。これにより、エンボス加工ローラと加圧ローラとの間の相互圧力によって引き起こされる反りが原因のたわみを低減させることができる。
【００２５】
別の実施例では、以下により詳細に説明されるように、心押台の代わりに、他の支持回転システムが、各エンボス加工ローラに対して使用され得る。
【００２６】
有利な実施例では、加圧ローラは、エンボス加工ローラと係合して支持する心押台と同様の心押台によって支持され得る。幾つかの実施例では、加圧ローラは、自由回転し、かつ、エンボス加工ローラと接触することで回転される。従って、加圧ローラ用の支持用心押台は、モータ駆動源を何も有さないが、エンボス加工ローラの支持用心押台の少なくとも一方は、モータ駆動される。この方法では、同じエンボス・ラミネート加工装置で使用される加圧ローラを作るために、摩耗したエンボス加工ローラを使用することが可能である。この目的のために、エンボス加工突起が過度に摩耗されてエンボス加工ローラが使用できなくなった時に、例えば、ゴム等の弾性的に柔軟な材料の層を外面に設けて、加圧ローラとして使用される。エンボス加工ローラ用に使用される心押台と実質的に同じである加圧ローラ用の心押台を使用することによって、エンボス加工ローラとしての使用から、加圧ローラとしての使用に切り替える時に、内部ローラ構造を適合させる必要がない。弾性的に柔軟な材料の外側層又はコーティングを設ける前に、摩耗されたエンボス加工ローラは、例えば、円筒表面を研磨することによって、残ったエンボス加工突起を除去するために処理され得る。
【００２７】
幾つかの実施例では、第一エンボス加工ローラ及び第二エンボス加工ローラは、第一対の心押台の各々及び第二の心押台の各々を用いて拘束され得る。前記心押台は耐荷重構造体によって支持され、各対の少なくとも一方の心押台は、各エンボス加工ローラを回転させるためにモータ駆動される。各エンボス加工ローラの心押台及び支持部材は、エンボス加工ローラを除去するために、支持部材がエンボス加工ローラと係合した後に心押台がエンボス加工ローラから外され、かつ、エンボス加工ローラを挿入するために、心押台がエンボス加工ローラと係合した後に、支持部材がエンボス加工ローラから外されるように構成され制御される。
【００２８】
各エンボス加工ローラが、各端部に、エンボス加工ローラの円筒面の内側に配置された凹型円錐面を有し得、前記凹型円錐面は、対応する心押台の対応する凸型円錐面と協働する。各エンボス加工ローラは、その両端に、エンボス加工ローラの円筒面の内側に配置されたトルク伝達面を有し得る。前記トルク伝達面は、各心押台上の対応するトルク伝達面と協働する。
【００２９】
幾つかの実施例では、各エンボス加工ローラは、各端部に隣接する、それぞれの環状通路を有し、該環状通路は、マニピュレータと協働する。マニピュレータは、操作されるべきローラの各端部のために、例えば、半円クレードルの形態の支持部材を有し得る。ローラは、その各環状通路を用いてクレードルに載せられ開放位置からマガジンへ、及びその逆方向に移送される。環状通路は、エンボス突起が形成されるエンボス加工ローラの表面を超えて軸線方向に突出するスタッド又は首部に形成され得る。
【００３０】
特に有利な実施例では、第一マニピュレータは、第一エンボス加工ローラ及び第二エンボス加工ローラの両方を操作して、マガジンに収容された各エンボス加工ローラと入れ替えるように配置され、かつ構成される。この場合、エンボス・ラミネート加工装置は、一つのマニピュレータを有し得る。それにより、簡単化され、かつ、小型化された構造が得られ、低コストで信頼性のあるドライバ又は作動装置から成るシステムによって効率的に制御され得る。
【００３１】
他の実施例では、第一エンボス加工ローラを操作するための第一マニピュレータと、第二エンボス加工ローラを操作するための第二マニピュレータとが設けられ得る。
【００３２】
この場合、第一マニピュレータは、第一軌道に配置された第一エンボス加工ローラと協働して、それをマガジンから取り出したエンボス加工ローラと交換することができ、かつ、第二マニピュレータは、第二軌道に配置された第二エンボス加工ローラと協働して、それをマガジンから取り出したエンボス加工ローラと交換することができる。第一マニピュレータ及び第二マニピュレータは、各々、各一対の旋回アームを有し、前記旋回アームは、その端部でエンボス加工ローラと係合するように構成されている。
【００３３】
マガジンのシートは、加圧ローラ及びエンボス加工ローラの軸線と実質的に平行な回転軸線を中心として回転するユニットによって支持され得、マガジン内のエンボス加工ローラは、それらの軸線が前記回転軸線と平行になるように配置される。
【００３４】
幾つかの実施例では、具体的には、第一及び第二エンボス加工ローラを動かして操作するために単一のマニピュレータが設けられている場合、有利には、マニピュレータは、第一又は第二エンボス加工ローラがハイジされる第一の高さと、第一の高さより低く、そこにマガジンが配置される第二の高さとの間で移動可能なエレベータを有することが想定される。
【００３５】
有利には、マガジンは、第一及び第二エンボス加工ローラの下方で、かつ、第一及び第二加圧ローラの下方に配置され得る。それによりエンボス・ラミネート加工装置は、設置面積を低減させることができる。
【００３６】
マガジンは、第一及び第二エンボス加工ローラの軸線及びマガジンに収容されたローラの軸線と直交する方向に移動可能な複数のシートを有し得る。動作は、好ましくは概して水平方向の移動運動であり得る。内部に交換用ローラが収容されたマガジン又はそのシートは、第一及び第二エンボス加工ローラ並びに加圧ローラの下方に配置され得、ウェブ材料の第一層及びウェブ材料の第二層の供給路の下方のスペースで移動するようにしている。
【００３７】
有利な実施例では、第一マニピュレータには、マガジンが配置された下側の高さと、第一及び第二エンボス加工ローラが配置された一つ又は二つのより高い高さとの間の昇降動作と、第一エンボス加工ローラ又は第二エンボス加工ローラへ向かう又はそこから離れる動作とが与えられる。後者の動作は、好ましくは、昇降動作と交差する方向の移動動作である。
【００３８】
この目的のために、幾つかの実施例では、マニピュレータは、昇降動作が与えられたスライドと、第一及び第二エンボス加工ローラに向けて及びそこから離れる方向に移動する、昇降動作と交差する方向の動作が与えられたキャリッジとを有し得、マガジンは、キャリッジの下方に配置される。スライドは、キャリッジによって支持されたガイド上で移動可能であり得、キャリッジの動作と概して直交する方向にのびている。この方法では、その支持部材が以下のように構成されたマニピュレータはが得られる。即ち、操作されるべきローラの支持部材は、相互に実質的に直交する二つの軸線に沿った移動動作が与えられ、好ましくは、第一及び第二エンボス加工ローラの軸線と実質的に直交する垂直面を画定する。
【００３９】
マニピュレータスライドを支持するキャリッジに、前記第一層及び第二層の一方に接着剤を塗布するように構成された接着ユニットを支持させることで、特別なコンパクトで信頼性のある構造が得られる。キャリッジの動作により、ローラ支持部材を交換すべきエンボス加工ローラに向けて又は同ローラから離れる方向に動かすことが可能になり、同時に、接着ユニットをエンボス加工ローラに向けて及び同ローラから離れる方向に動かして、エンボス加工ローラをより簡単に除去して交換することを可能にする。これにより、可動部材及び各作動装置の数が減少し、構造及び制御が著しき簡単化され、かつ、エンボス・ラミネート加工装置全体の信頼性が向上する。
【００４０】
別の実施例では、第一及び第二マニピュレータが、第一及び第二エンボス加工ローラのために設けられる。二つのマニピュレータは、好ましくは、両方共、耐荷重構造体の二つの側面部材の間に配置される。有利な実施例では、二つのマニピュレータの各々は、各第一及び第二エンボス加工ローラを動かすための旋回アームを有し得る。
【００４１】
別の実施例では、特に、二つのマニピュレータが設けられている場合、マガジンは、好ましくは、エンボス加工ローラ及び加圧ローラの軸線と略平行な軸線を中心に回転する回転ユニットから成り得る。回転ユニットは、各交換可能なエンボス加工ローラのための複数の支持シートを支持する。
【００４２】
幾つかの実施例では、回転ユニットを備えたマガジンは、装置の動作中に使用されていないエンボス加工ローラをマガジン内に保護しながら、エンボス加工ローラの交換を可能にするために開位置から閉位置まで、及びその逆向きに移動可能な閉鎖部材を有し得る。幾つかの実施例では、閉鎖部材は、実質的に円筒状のハッチを備え、このハッチは、加圧ローラ及びエンボス加工ローラの軸線と平行な軸線を中心に回動可能である。さらに別の実施例では、マガジンは、マガジン内に収容されたエンボス加工ローラの除去及び装置の外にある他のエンボス加工ローラとの交換を可能にするために第二のアクセス可能な部分を有し得る。
【００４３】
エンボス・ラミネート加工装置は、有利には、ラミネート加工ローラを有し得、このローラは、第一及び第二エンボス加工ローラの一方と共にラミネート加工ニップを画定する。特に、エンボス・ラミネート加工装置に接着ユニットが設けられている時に、ラミネート加工ローラは、接着ユニットと協働するエンボス加工ローラと協働する。
【００４４】
さらなる可能な特徴及び実施の形態は、本明細書と一体の部分を形成する、本発明の実施例及び添付した特許請求の範囲を参照して、以下に説明される。
【図面の簡単な説明】
【００４５】
【図１】エンボス・ラミネート加工装置の概略側面図であり、図１A及び図１Bは、図１の一部を拡大した詳細図である。
【図２】図１に示したエンボス・ラミネート加工装置の複数のエンボス加工ローラの中の一つの長手方向断面図であり、作動位置で支持されている。
【図３】図２に示したエンボス加工ローラと同様の断面図であり、サポートテイルストックからローラが解放された状態にある。
【図４】エンボス加工ローラの支持回転部材の異なる実施例の拡大図を示しており、ローラは、支持部材に係合している。
【図４ＳＸ】図４に示した拡大図と同じ実施例の拡大図を示しており、該図では、支持回転部材はエンボス加工ローラから外されている。
【図４ＤＸ】図４に示した拡大図と同じ実施例の拡大図を示しており、該図では、支持回転部材はエンボス加工ローラから外されている。
【図５Ａ】エンボス・ラミネート加工装置の実施可能な実施例におけるエンボス加工ローラ交換の流れを示している。
【図５Ｂ】エンボス・ラミネート加工装置の実施可能な実施例におけるエンボス加工ローラ交換の流れを示している。
【図５Ｃ】エンボス・ラミネート加工装置の実施可能な実施例におけるエンボス加工ローラ交換の流れを示している。
【図５Ｄ】エンボス・ラミネート加工装置の実施可能な実施例におけるエンボス加工ローラ交換の流れを示している。
【図５Ｅ】エンボス・ラミネート加工装置の実施可能な実施例におけるエンボス加工ローラ交換の流れを示している。
【図５Ｆ】エンボス・ラミネート加工装置の実施可能な実施例におけるエンボス加工ローラ交換の流れを示している。
【図５Ｇ】エンボス・ラミネート加工装置の実施可能な実施例におけるエンボス加工ローラ交換の流れを示している。
【図５Ｈ】エンボス・ラミネート加工装置の実施可能な実施例におけるエンボス加工ローラ交換の流れを示している。
【図５Ｉ】エンボス・ラミネート加工装置の実施可能な実施例におけるエンボス加工ローラ交換の流れを示している。
【図５Ｊ】エンボス・ラミネート加工装置の実施可能な実施例におけるエンボス加工ローラ交換の流れを示している。
【図５Ｋ】エンボス・ラミネート加工装置の実施可能な実施例におけるエンボス加工ローラ交換の流れを示している。
【図５Ｌ】エンボス・ラミネート加工装置の実施可能な実施例におけるエンボス加工ローラ交換の流れを示している。
【図６】図６A及びBは、エンボス・ラミネート加工装置の複数のエンボス加工ローラの中の一つを動かすためのマニピュレータの動きを概略的に示している。
【図７】図７A及びBは、エンボス・ラミネート加工装置の複数のエンボス加工ローラの中の一つを動かすためのマニピュレータの動きを概略的に示している。
【図８】図８A及びBは、エンボス・ラミネート加工装置の複数のエンボス加工ローラの中の一つを動かすためのマニピュレータの動きを概略的に示している。
【図９】図９A及びBは、エンボス・ラミネート加工装置の複数のエンボス加工ローラの中の一つを動かすためのマニピュレータの動きを概略的に示している。
【図１０】図１０A及びBは、エンボス・ラミネート加工装置の複数のエンボス加工ローラの中の一つを動かすためのマニピュレータの動きを概略的に示している。動きを概略的に示している。
【図１１】エンボス・ラミネート加工装置の二つの異なる実施可能なフィッティングス（付属品）の概略側面図を示している。
【図１２】エンボス・ラミネート加工装置の二つの異なる実施可能なフィッティングス（付属品）の概略側面図を示している。
【図１３】エンボス加工ローラ交換サイクルの様々な段階におけるエンボス・ラミネート加工装置の別の実施例の概略側面図であり、図１３A及び図１３Bは、図１３におけるXIIIA及びXIIIBで示した部分の詳細の拡大図である。
【図１４】エンボス加工ローラ交換サイクルの様々な段階におけるエンボス・ラミネート加工装置の別の実施例の概略側面図である。
【図１５】エンボス加工ローラ交換サイクルの様々な段階におけるエンボス・ラミネート加工装置の別の実施例の概略側面図である。
【図１６】エンボス加工ローラ交換サイクルの様々な段階におけるエンボス・ラミネート加工装置の別の実施例の概略側面図である。
【図１７】エンボス加工ローラ交換サイクルの様々な段階におけるエンボス・ラミネート加工装置の別の実施例の概略側面図である。
【図１８】エンボス加工ローラ交換サイクルの様々な段階におけるエンボス・ラミネート加工装置の別の実施例の概略側面図である。
【図１９】エンボス加工ローラ交換サイクルの様々な段階におけるエンボス・ラミネート加工装置の別の実施例の概略側面図である。
【図２０】エンボス加工ローラ交換サイクルの様々な段階におけるエンボス・ラミネート加工装置の別の実施例の概略側面図である。
【図２１】エンボス加工ローラ交換サイクルの様々な段階におけるエンボス・ラミネート加工装置の別の実施例の概略側面図である。
【図２２】エンボス加工ローラ交換サイクルの様々な段階におけるエンボス・ラミネート加工装置の別の実施例の概略側面図である。
【図２３】エンボス加工ローラ交換サイクルの様々な段階におけるエンボス・ラミネート加工装置の別の実施例の概略側面図である。
【図２４】エンボス加工ローラ交換サイクルの様々な段階におけるエンボス・ラミネート加工装置の別の実施例の概略側面図である。
【図２５】エンボス加工ローラ交換サイクルの様々な段階におけるエンボス・ラミネート加工装置の別の実施例の概略側面図である。
【図２６】エンボス加工ローラ交換サイクルの様々な段階におけるエンボス・ラミネート加工装置の別の実施例の概略側面図である。
【図２７】エンボス加工ローラ交換サイクルの様々な段階におけるエンボス・ラミネート加工装置の別の実施例の概略側面図である。
【図２８】図２２のXXVIII−XXVIII線に沿った概略正面図である。
【図２９】エンボス・ラミネート加工装置の別の実施例の側面図である。
【図３０】図２９のおけるXXX-XXX線視図である。
【図３１】図２９及び３０で示された部分に対向するエンボス・ラミネート加工装置の側面の一部を示している。
【図３２】エンボス加工ローラの部分横断面図である。
【発明を実施するための形態】
【００４６】
本発明は、本発明の非限定的な実施例を示す添付図面及び以下の説明によってより良く理解されることになる。
【００４７】
以下に、添付図面を参照して実施例の詳細な説明を行う。異なる図面における同一の参照符号は、同一又は類似の構成要素を示す。加えて、図面は、必ずしも縮尺通りには描かれていない。また、以下の詳細な説明は、本発明を限定するものではない。本発明の範囲は、添付した特許請求の範囲によって限定される。
【００４８】
明細書を通して使用する「一つの実施例」、「一実施例」又は「幾つかの実施例」は、ある実施例に関して説明される特定の機能、構造又は特徴が、開示された構成要件から成る少なくとも一つの実施例に含まれていることを意味する。従って、明細書を通して様々な文において使用される「一つの実施例において」「一実施例において」又は「幾つかの実施例において」のフレーズは、必ずしも、同一の実施例を参照しているわけではない。さらに、特定の機能、構造又は特徴は、任意の適切な方法で、一つ又は複数の実施例を組み合わせられ得る。
【００４９】
図１は、エンボス・ラミネート加工装置の一実施例の概略側面図を示している。
【００５０】
このエンボス・ラミネート加工装置は、その全体が符号１で示されており、該装置は、第一層V１用のウェブ材料の第一供給路と、第二層V２用の第二供給路とを有する。これら二つの層V１及びV２は、有利には、セルロース材料の層であり得、典型的には、薄葉紙層であり得る。二つの層の夫々は、相互に結合して接着され得る、又は単に重ねられ得る一つ以上の層、シート又はストリップから形成されてもよい。
【００５１】
二つの層V１及びV２は、エンボス・ラミネート加工装置によってエンボス加工され、かつ、一緒に接着され、連続多層ウェブ材料Nを形成し、形成されたウェブ材料Nは、エンボス・ラミネート加工装置１から出て、紙加工ラインにおける下流のステーションに供給される。
【００５２】
図１において、符号P１及びP２は、二つの層V１及びV2の軌道を概略的に示している。
【００５３】
幾つかの実施例では、エンボス・ラミネート加工装置１は、第一エンボス加工ローラ３を有し、該ローラ３は、第一加圧ローラ５と協働する。エンボス加工ローラ３は、図１Aの拡大図に概略的に示されているように複数の突起３Pが設けられた円筒状表面を有する。突起３Pは、技術的な機能若しくは美的装飾機能、又は技術的及び美的装飾機能の両方を有するエンボス加工モチーフを画定し得る。第一加圧ローラ５は、符号５Aで示されている柔軟な材料、好ましくは、弾性的に柔軟な材料、例えば、ゴム等でコートされ得る。
【００５４】
第一エンボス加工ローラと第一加圧ローラ５との間に、第一エンボス加工ニップ７が画定され、そのニップ７を、エンボス加工されるべき材料の第一層V１用の軌道P１が通過する。
【００５５】
エンボス・ラミネート加工装置１は、第二エンボス加工ローラ９を有し得、該ローラ９には、複数の突起９Pが設けられている（図１B参照）。第二エンボス加工ローラ９は、第二加圧ローラ１１と協働し、該第二加圧ローラ１１は、符号１１Aで示す柔軟な材料、好ましくは、弾性的に柔軟な材料、例えば、ゴム等でコートされ得る。第二エンボス加工ローラ９と第二加圧ローラ１１との間に、第二エンボス加工ニップ１３が形成され、そのニップ１３を通過して、ウェブ材料の第二層V２の軌道P２が伸びている。
【００５６】
二つのエンボス加工ローラ３及び９の間には、ニップ１５が画定されている。ニップ１５では、エンボス加工ローラ３及び９が、各突起３P及び９Pの位置で相互に加圧され得、二つの層V１及びV2が、エンボス加工ニップ７及び１３において別々にエンボス加工された後に、一緒にラミネート加工されるようにしている。二つの層V１及びV2は、例えば、後述する方法で、それらの一方に接着剤を塗布してラミネート加工することによって接着され得る。
【００５７】
幾つかの実施例では、エンボス・ラミネート加工装置１は、ラミネート加工ローラ１９を有し得、該ラミネート加工ローラ１９は、エンボス加工ローラ３及び９の一方、例えば、添付図面に示した実施例に示すようにエンボス加工ローラ９と協働する。エンボス加工ローラ（この実施例ではローラ９）とラミネート加工ローラ１９との間に、ラミネート加工ニップ１７が形成され、このラミネート加工ニップ１７を、二つの層V1及びV2が通過する。
【００５８】
ラミネート加工ローラ１９は、硬質材料、例えば、鋼から成るローラであり得、また、それは、好ましくは、第二加圧ローラ１１及び第一加圧ローラ５の夫々のコーティング１１A及び５Aよりも硬い弾性柔軟材料１９Aの層でコートされ得る。
【００５９】
エンボス・ラミネート加工装置１にラミネート加工ローラ１９及びラミネート加工ニップ１７が設けられている場合、層V１及びV２の接着は、ラミネート加工ニップ１７において行われ得る。この場合、エンボス加工ローラ３及び９は、ニップ１５において相互に加圧しないように配置され得る。
【００６０】
エンボス加工ローラ３及び９は、有利には、平行な軸を有する。加圧ローラ５及び１１は、対応するエンボス加工ローラと実質的に平行な軸を有し得る。エンボス加工ユニットの幾つかの実施例又はフィッティングスでは、加圧ローラ及び場合によってラミネート加工ローラ１９は、各エンボス加工ローラの軸に対して僅かに傾けられた軸を用いて配置され得る。この軸の傾けられた位置は、湾曲による反りのために生じ得るローラの中心位置における圧力の低減を補償することを意図するものである。
【００６１】
幾つかの実施例では、エンボス・ラミネート加工装置１は、層V１及びV２をニップ１５、又は、ニップ１７でラミネート加工するように構成され得る。この目的のために、例えば、エンボス加工ローラ３及び９に、相互の角度移送(angular phase)を調節するための動き、及び／又は中心間隔を調整する動きを与えることが可能である。幾つかの実施例では、第二エンボス加工ローラ９は、接着ユニット２１と関連付けられている。接着ユニット２１は、第二エンボス加工ローラ９の周りで引っ張られる層V２上にエンボス加工によって形成された突起の頂面に接着剤を塗布する。幾つかの実施例では、接着ユニット２１は、接着剤源２３、兄ロックスローラ２５及びクリシェローラ２７を有し得る。この接着ユニット２１の構成は実施例として示されるものであり、図示された構成と異なる他の構成も実施可能であることは理解されるべきである。
【００６２】
エンボス・ラミネート加工装置１が、エンボス加工ローラ３及び９間のニップ１５において層Ｖ１及びＶ２をラミネート加工する時、二つの層Ｖ１及びＶ２は、エンボス加工ローラの少なくとも幾つかの突起に対応する領域において互いに押し付けられ、接着剤が塗布された領域において相互に接着される。エンボス・ラミネート加工装置１が、ラミネート加工ニップ１７において層Ｖ１及びＶ２をラミネート加工する時、層Ｖ１はエンボス加工ローラ３から外されて層Ｖ２の上に載り、エンボス加工ローラ９の周りを層Ｖ２と共に進み、ラミネート加工ニップ１７を通る。ここで、エンボス加工ローラ９の少なくとも幾つかの突起９Ｐに対応する領域で、ラミネート加工ローラ１９によって、層Ｖ１及びＶ２は、互いに押し付けられ、接着される。
【００６３】
第一加圧ローラ５は、移動可能に支持され得、第一エンボス加工ローラ３に向けて及び同ローラ３から離れる方向に向けて移動することができるようにされ得る。幾つかの実施例では、第一加圧ローラ５は、符号２９Ａで示す位置で、エンボス・ラミネート加工装置１の側面部材３１にヒンジ止めされた一対のアーム２９によって支持される。前記側面部材３１の間には、ローラ３，５，９，１１及び１９並びに接着ユニット２１が配置されている。
【００６４】
アーム２９は、作動装置、例えば、水圧式、空圧式又は電動作動装置（図示せず）によって駆動され得、前記作動装置は、両矢印ｆ２９によって示された方向でのアーム２９の回転動作を制御し、以下に説明する目的のために、第一加圧ローラ５を、第一エンボス加工ローラ３に向けて及び同ローラ３から離れる方向に動かすようにしている。
【００６５】
同様に、第二加圧ローラ１１は、符号３３Ａで示す位置で側面部材３１にヒンジ止めされ、かつ、両矢印ｆ３３の方向で移動可能である一対のアーム３３によって支持され得、第二加圧ローラ１１を、第二エンボス加工ローラ９に向けて及び同ローラ９から離れる方向に動かすようにしている。アーム３３の往復回転動作は、不図示の水圧式、空圧式又は電動作動装置等によって制御され得る。
【００６６】
各アーム用の動作用作動装置を用いて、加圧ローラ５及び１１は、各エンボス加工ローラ３及び９に対して押しつけられ、その結果、層Ｖ１及びＶ２が各エンボス加工ニップ７及び１３を通過する時に、それらの層Ｖ１及びＶ２は、加圧ローラ５及び１１の柔軟なコーティング５Ａ及び１１Ａ内へのエンボス加工ローラの突起３Ｐ及び９Ｐの侵入によって恒久的に変形される。
【００６７】
ラミネート加工ローラ１９は、有利には、符号３５Ａで示す位置で側面部材３１にヒンジ止めされたアーム３５によって支持され得、両矢印ｆ３５の方向に回転可能にされ得る。それにより、アーム３５が、ラミネート加工ローラ１９を、第二エンボス加工ローラ９に向けて及び同ローラ９から離れる方向に動かすようにしている。空気圧式、水圧式又は電動作動装置等が、ラミネート加工ローラ１９を、両矢印ｆ３５の方向で動かし、ラミネート加工ニップ１７において層Ｖ１及びＶ２のラミネート加工を得るために必要とされる圧力で、同ローラ１９をエンボス加工ローラ９に対して押圧するために使用され得る。
【００６８】
接着ユニット２１は、有利には、第二エンボス加工ローラ９に向けて及び同ローラ９から離れる方向に移動可能にされ得る。この動きは、図１に示した両矢印ｆ２１によって概略的に示されており、不図示の水圧式、空圧式又は電動作動装置等によって制御され得る。
【００６９】
図示実施例において、エンボス・ラミネート加工装置１はマガジン４１を備え、該マガジン４１には、図１に示した配置では装置に装着されたエンボス加工ローラ３及び９と取り換え可能な一つ又は複数のエンボス加工ローラが配置されている。有利には、マガジン４１は、層Ｖ１及びＶ２を接着することによって得られるウェブ材料Ｎの出口領域の下方に配置され得る。
【００７０】
有利な実施例では、マガジン４１は、有利には実質的に、ローラ３，５，９，１１及び１９の軸線と平行な軸線Ａ−Ａを中心に回転するユニット４３を有する。ユニット４３は、ここで説明する目的のために、制御された方法で、軸線Ａ−Ａを中心に矢印ｆ４３の方向に回転し得る。図１に示した配置では、三つの交換可能なエンボス加工ローラ４７，４９及び５１がマガジン４１に配置されている。有利には、エンボス加工ローラ４７，４９及び５１は、各シート５３，５５及び５７に収容され、これらのシートはマガジン４１に設けられ、回転ユニット４３に形成されている。回転ユニット４３は、さらに別のシートを有し、好ましくは、符号５９及び６１で示す他の二つのシートを有する。これらのシート５９及び６１は、図１に示した状態では空であり、エンボス加工ローラ３及び９を、エンボス加工ローラ４７，４９及び５１の二つと交換する必要がある時に、これらのローラ３及び９を受け取り得る。
【００７１】
幾つかの実施例では、マガジン４１は、壁、即ち、固定収容部(fixed carter)６３及び可動ハッチ６５によって閉鎖され得る。ハッチ６５は、エンボス加工装置１に配置されたエンボス加工ローラを、マガジンに収容された他のエンボス加工ローラと交換するために、マガジン４１の内部へのアクセスを可能にする。有利には、ハッチ６５は、マガジン４１におけるエンボス加工ローラ３及び９と最も近い部分に配置され、以下の説明から明らかになるように、エンボス加工ローラの交換に必要な距離を減らすようにしている。このハッチは、また、加工処理中に発生する大量の汚染物（ほこり、場合によっては接着剤）から、これらのローラを保護するためにローラマガジンを閉鎖するためにも使用される。
【００７２】
固定収容部６３及びハッチ６５は、実質的に円筒状形状を有し得るが、他の構造が除外されるものではない。固定収容部６３及びハッチ６５の円筒状形状は、その内部容積の使用を最適化することでマガジン４１の寸法を減らす。
【００７３】
幾つかの実施例では、マガジン４１は、補助ハッチ６７を有し得る。有利な実施例では、補助ハッチ６７は、固定収容部６３の下方領域に配置される。補助ハッチ６７は、収容部６３の開口を閉鎖する。前記開口は、エンボス・ラミネート加工装置１の動作中に、マガジン４１からエンボス加工ローラを取り出すため、及び／又はマガジン４１にエンボス加工ローラを入れるために使用される。この目的のために、補助ハッチ６７及び各開口は、有利には、エンボス・ラミネート加工装置１の側面部材３１間に設けられたエンボス加工ローラ３及び９から離れた領域に配置される。
【００７４】
他の実施例では、補助ハッチ６及び関連する開口は省略され得る。幾つかの実施例では、ハッチ６５は、エンボス・ラミネート加工装置１の作動中に、第二下側開口を設ける必要なしに、マガジン４１にエンボス加工ローラを入れたり、そこからそれらを取り出したりするために、部材３，５，９，１１の反対側の開口を通してアクセスできる動きを有し得る。
【００７５】
エンボス・ラミネート加工装置１は、また、有利には、エンボス加工ローラ３を取り換えるための第一マニピュレータ７１及びエンボス加工ローラ９を取り換えるための第二マニピュレータ７３を有し得る。幾つかの実施例では、各マニピュレータ７１及び７３は、両方向矢印ｆ７１及びｆ７３の方向で回動可能な一対のアームを各々有する。ピボットアーム７１及び７３は、符号７１Ａ及び７３Ａで示す位置で、エンボス・ラミネート加工装置１の側面部材３１によって形成された固定構造体にヒンジ止めされ得、これらのアームは、側面部材３１の内側に配置されている。アームの動きは、不図示の作動装置によって制御される。旋回動作、即ち、ヒンジ７１Ａ及び７３Ａを中心として往復回転動作に加えて、以下説明する目的のために、各マニピュレータ７１及び７３の二つのアームには、また、側面部材３１に向けた及び同部材３１から離れる方向に向けた制限付きの動作が与えられる。
【００７６】
有利な実施例では、各エンボス加工ローラ３及び９は、ネックを有さずに、各々一対の心押台を用いて側面部材３１の間で支持され得る。エンボス加工ローラ３及び９の支持及び回転構造は、実質的に同じであり得る。従って、図２，３及び４を参照して、これらの構造の一つのみ、具体的には、エンボス加工ローラ３を支持し回転する構造を以下に説明していく。
【００７７】
図２及び３は、エンボス加工ローラ３並びに、支持及び回転用心押台の長手方向断面図を示しており、それぞれ、エンボス加工ローラ３が心押台に支持されトーショナル結合されている状態（図２）と、エンボス加工ローラ３が心押台から外され、エンボス・ラミネート加工装置１から取り出すことができ、マガジン４１から取り出した他のエンボス加工ローラと取り換えることができる状態とを示している。
【００７８】
有利には、エンボス加工ローラ３は、同様に、エンボス・ラミネート加工装置１及びマガジン４１に設けられた他のエンボス加工ローラは、符号３Ａで示す端部領域を有する。符号７５及び７７で概略的に示す心押台は、エンボス・ラミネート加工装置１の側面部材３１によって支持されるように構成され、かつ、両方向矢印ｆ７５及びｆ７７で示す軸線方向の動きで動くことによって、エンボス加工ローラと係合したり、該ローラを解放したりするように構成される。
【００７９】
エンボス加工ローラ３の端部３Ａは開放しており、エンボス加工ローラ３の内部に固定された円錐体７９及び８１に係合し、全体が中空円筒形状をしている心押台７５及び７７の挿入を可能にしている。円錐体７９及び８１は、凹状又は凸状の円錐面７９Ｓ及び８１Ｓを各々有する。凸状円錐面７９Ｓ及び８１Ｓは、心押台７５及び７７に各々設けられた対応する凹状円錐面７５Ｓ及び７７Ｓと係合する。
【００８０】
図２及び図３に示すように、心押台７５及び７７の動きにより、対となる円錐面７５Ｓ及び７９Ｓ並びに７７Ｓ及び８１Ｓが係合し、また、解放される。
【００８１】
両方向矢印ｆ７５及びｆ７７の方向における心押台７５及び７７の動きは、例えば、ピストンが、心押台７５及び７７自身で形成され得るシリンダピストン作動装置システムを用いることによって得ることができる。例えば、図２及び図３に概略的に示すように、心押台７５及び７７は、摺動可能に、各シリンダ８３及び８５に収容されている。シリンダ８３及び８５は、エンボス・ラミネート加工装置１の側面部材３１に固定されている。心押台７５及び７７を用いて、心押台７５及び７７がピストンを形成する、シール７５Ｇ及び７７Ｇが設けられた各シリンダピストン作動装置が形成される。
【００８２】
そこでシール７５Ｇ及び７７Ｇがシリンダ８３及び８５の内部容積を分割する二つのチャンバの一方又は他方に交互に加圧流体、例えば、加圧オイルを導入することにより、心押台７５及び７７が矢印ｆ７５及びｆ７７の方向で動いて、それらがエンボス加工ローラ３に係合し、また、同ローラ３から解放されることを可能にする。
【００８３】
より詳細には、各心押台７５及び７７は、外側体７４及び７８を有し、各々、摺動してシリンダ８３及び８５内に挿入される。円筒状の形態であり得る外側体７４及び７８の内側には、各回転軸７６及び８０が収容されている。軸７６及び８０は、同軸であり、それらの軸線は、図面ではＢ−Ｂによって示されている。円錐面７５Ｓ及び７７Ｓは、側面部材の内側に面している回転軸７６及び８０の端部に形成されている。回転軸７６及び８０は、ベアリングによって外側体７４及び７８の内部に支持されており、その結果、回転軸７６及び８０は、外側体７４及び７８の内部で自由に回転できるが、軸線方向には拘束され、矢印ｆ７５及びｆ７７の方向に、それらと一体的に動く。
【００８４】
有利な実施例では、心押台７５及び７７の各外側体７４及び７８には、各アーム８７及び８９が設けられ得る。各アーム８７及び８９は、外側体７４及び７８に堅く拘束され、各側面部材３１のシートに摺動可能に係合する。この構造により、心押台７５及び７７がｆ７５及びｆ７７の方向に動くことが可能になるが、外側体７４及び７８が軸線Ｂ−Ｂを中心に回転することを防止する。
【００８５】
有利には、心押台７５は、例えば、電動モータ９０によって、モータ駆動され得、心押台７５が図２に示した位置にある時に、軸７６を回転させ、従って、エンボス加工ローラ３及び軸８０を回転させる。
【００８６】
幾つかの実施例では、ブレーキディスク９１が、心押台７７の軸８０に設けられ得、このブレーキディスク９１は、ブレーキシュー９３と協働する。このブレーキシステム９１及び９３は、エンボス加工ローラ３を取り換える必要がある時、又は、エンボス・ラミネート加工装置の動作中の任意の他の理由のために、心押台７５及び７７の軸７６及び８０並びにエンボス加工ローラ３を制動するために使用される。
【００８７】
図４は、心押台７７及び７５のシステムの別の実施例を示している。同じ符号は、図２及び３で説明した構成要素と同一又は同等の構成要素を示す。図４に示した実施例では、心押台７５及び７７は、各々凸状円錐面７５Ｓ及び７７Ｓを有し、これらは、エンボス加工ローラ３の内部に収容されたブロック７９及び８１に設けられた凹状円錐面７９Ｓ及び８１Ｓと協働する。
【００８８】
有利な実施例では、心押台７５及び７７（より正確には軸７６及び８０）とエンボス加工ローラ３との間のトーショナル結合が、フロント係合歯７９Ｄ及び８IDを用いて、より信頼性をもって形成され得る。前記フロント係合歯７９Ｄ及び８IDは、エンボス加工ローラ３のブロック７９及び８１に設けられ、心押台７５及び７７に形成されたフロント係合歯７５Ｄ及び７７Ｄと各々協働する。フロント係合歯には、また、図２及び図３に示した構造に設けることもできる。また、フロント係合歯は、係合する時に、モータと、形成されたエンボスパターンとの間に角度位相を提供し、動作中にエラーなしにそれを維持することができるという利点を有する。これにより、ローラの変更、及び、それにより生じる形成されたエンボスパターンの変更が生じた場合の角度位相を見つけることが簡単になる。
【００８９】
ここまでに説明したエンボス・ラミネート加工装置は、交換する必要があるエンボス加工ローラの数に基づいて様々なモードで駆動し得る。図５Ａ〜図５Ｌに示したシーケンスは、両方のエンボス加工ローラ３及び９が、マガジン４１に収容された三つのエンボス加工ローラ４７，４９及び５１の中の二つと交換される動作モードを示している。図５Ａ〜図５Ｌに示したシーケンスを参照して以下に説明する動作モードが、例えば、交換する必要があるローラの数（一つ又は二つ）に応じて、及び／又はマガジン４１において利用可能なローラの数に応じて様々なモードで動作し得るエンボス・ラミネート加工装置１の実施可能な動作モードの中の単なる一つであることは、当業者は理解するであろう。
【００９０】
図５A〜図５Lに示した動作シーケンスにおいては、マガジン４１の中に二つだけの交換用エンボス加工ローラ４７及び４９がある。それらは、装置に配置された二つのローラ３及び９と同時に交換される。
【００９１】
図５A〜図５Lに示した動作シーケンスは以下の通りである。図５Aにおいては、エンボス・ラミネート加工装置１は、動作中であり、二つの層V１及びV２は、軌道P1及びP2に沿って供給され、二つのエンボス加工ニップ７及び１３においてエンボス加工され、ラミネート加工ニップ１７においてラミネート加工され、かつ、接着されている。マニピュレータ７１及び７３は、レスト位置にある。マガジン４１は閉じられている。
【００９２】
図５Bは、エンボス・ラミネート加工装置１が停止された後に、二つの加圧ローラ５及び１１が、各エンボス加工ローラ３及び９から離れる方向に動かされ、ラミネート加工ローラ１９がエンボス加工ローラ９から離れる方向に動かされた段階を示している。接着ユニット２１は、エンボス加工ローラ９から離れる方向に動かされている。
【００９３】
次の図５Cは、マニピュレータ７１及び７３が、エンボス加工ローラ３及び９と係合する位置に動いた段階を示している。マニピュレータ７１及び７３の構造は、図６A〜図１０Bを参照して、より詳細に説明される。これらのマニピュレータ７１及び７３は、エンボス加工ローラ３及び９が図３に示した位置をとって心押台７５及び７７によって解放される前に、エンボス加工ローラ３及び９の端部と係合する。
【００９４】
図５Dは、エンボス加工ローラ３及び９を、エンボス・ラミネート加工装置１からマガジン４１の中に移動する段階を示している。移動を可能にするために、マガジン４１は、例えば、ハッチ６５をマガジン４１の回転部材４３の軸線A-Aを中心に回転させることによって開かれる。マガジン４１の二つの空のシート５９及び６１が、ハッチ６５によってアクセス可能にされた開口の領域に配置される。マニピュレータ７１及び７３によって、エンボス・ラミネート加工装置１におけるそれらの位置から取り出されたエンボス加工ローラ３及び９は、これらのシート５９及び６１に置かれる。
【００９５】
図５Eは、次の段階を示しており、この段階では、エンボス加工ローラ３及び９は、シート５９及び６１で解放され、マニピュレータ７１及び７３はエンボス加工ローラ３及び９から外れて、離れる方向に動かされ、マガジン４１の回転ユニット４３が回転できるようにしている。図５Fは、回転ユニット４３が、（図５Eにおける矢印ｆ４３の方向に）回転させられた後の位置を示している。二つのシート６１及び５９には、先に動作していたエンボス加工ローラ３及び９が入れられており、マガジン４１の下側部分に送られ、同時に、エンボス加工ローラ４７及び４９が配置されたシート５３及び５５が、マガジン４１の開口の領域に配置される。空のシート５７は、この同さモードでは使用されない。
【００９６】
一度、図５Fに示した位置に達すると、回転ユニット４３は止まった状態を維持し、マニピュレータ７１及び７３は、図５Gに示すように、エンボス加工ローラ４７及び４９を取り出すように動く。
【００９７】
マニピュレータ７１及び７３が、エンボス加工ローラ４７及び４９の端部に係合すると、マニピュレータ７１及び７３は、それらエンボス加工ローラ４７及び４９を、図５Hに示すように、エンボス・ラミネート加工装置１の側面部材３１間の作動位置に運ぶ。一度、エンボス加工ローラ４７及び４９が、心押台７５及び７７と同軸に並べられる、この位置に達すると、心押台７５及び７７は、お互いに向けて動き、エンボス加工ローラ４７及び４９とトーショナル結合して、これらのローラ４７及び４９を支持する。マニピュレータ７１及び７３は、その後、エンボス加工ローラ４７及び４９から外れ、図５Iに示すようにレスト位置に戻り得る。マガジン４１は、ハッチ６５を回転させることで再び閉じられ得る。
【００９８】
図５Jは、次の段階を示しており、この段階では、加圧ローラ５及び１１が、ラミネート加工ローラ１９と共に、（ローラ３及び９と交換された）各エンボス加工ローラ４７及び４９に向けて戻され、それらに対して押しつけられる。接着ユニット２１は、エンボス加工ローラ４９の隣に移動させられる。
【００９９】
図５Kにおいて、エンボス・ラミネート加工装置１は生産を再開しており、層V1及びV２は、軌道P１及びP2に沿って供給され、エンボス・ラミネート加工装置の出口で多層ウェブ材料Nを形成する。
【０１００】
次の図５Lは、次の動作サイクルにおいて、エンボス加工ローラ４７及び４９を、エンボス加工ローラ３及び９とは異なるローラと交換する必要がある時に、マガジン４１の中に排出されたエンボス加工ローラ３及び９を、保管領域から取り出され得る他のエンボス加工ローラに交換する別の実施可能な段階を示している。
【０１０１】
この目的のために、補助ハッチ６７によって閉鎖されるマガジン４１の下側開口が設けられ得る。この下側開口は、それに沿ってシャトル１０３が動き得るガイド１０１の領域に配置され得る。シャトル１０３は、マガジン４１の下側開口の下方に配置され、マガジン４１に収容され、別のローラと交換される必要があるエンボス加工ローラを受け取り得る。
【０１０２】
図５Lは、マガジン４１から除去されるべきエンボス加工ローラ９がシャトル１０３の上に置かれている段階を示している。シャトル１０３は、回転部材４３の回転軸線A-Aと平行又は直交する方向に動かされ得、マガジン４１の下方に導入される。図示実施例では、動きは、軸線A-Aと平行であり、特別なガイド上で達成される。
【０１０３】
別の実施例では、マガジン４１において交換されるべきローラは、例えば、ハッチ６５によって閉鎖された開口を延長することによって、上から挿入され得る。この目的のために、例えば、オーバーヘッドクレーンのような吊り下げられた移送装置が使用され得る。
【０１０４】
図６Aから図１０Bは、一つの実施可能な実施例において、マニピュレータ７１及び７３の構成及び動作をより詳細に示している。二つのマニピュレータ７１及び７３は、実質的に、その一部を形成する回転アームの長さが異なるだけである。従って、マニピュレータ７３は同じ方法で構成されているので、図６Aから図１０Bは、一つのマニピュレータだけを示し、より正確には、マニピュレータ７１だけを示す。
【０１０５】
図６Aから図１０Bは、エンボス加工ローラを取り出し、移送し、そしてマガジン４１の中へ解放するシーケンスを示している。図６Ａ，７Ａ，８Ａ，９Ａ及び１０Ａは概略側面図を示しており、これらの図面には、マニピュレータ７１の回転動作が示されている。対応する図６Ｂ，７Ｂ，８Ｂ，９Ｂ及び１０Ｂは、エンボス加工ローラ及び心押台の軸線方向に沿った概略断面図における、マニピュレータ７１の旋回アームの相対運動と、心押台及びエンボス加工ローラの動きを示している。
【０１０６】
マニピュレータ７１及び７３の一部を形成する旋回アームは、図１並びに図６Ａ，７Ａ，８Ａ，９Ａ及び１０Ａに概略的に示すように、心押台７５及び７７に対する衝突を避けるために、湾曲され得る。
【０１０７】
最初に図６Ａ及び６Ｂを参照すると、マニピュレータ７１には、エンボス加工ローラ３と係合する位置に旋回アームが設けられている。これらの旋回アームは、図中符号７１Ｂで示されており、各々が端部ピン７１Ｐを有する。端部ピン７１Ｐは、旋回軸、即ち、支点７１Ａとおおよそ平行に伸びており、かつ、遠位端、即ち、アーム７１Ｂにおける軸線７１Ａを中心に旋回する端部に対向する端部に設けられている。
【０１０８】
アーム７１Ｂには、係合されてエンボス・ラミネート加工装置１からマガジン４１へ、又はその逆向きに移送されなければならないエンボス加工ローラに向けて、かつ、同ローラから離れる方向に動くために、矢印ｆｘで概略的に示される動きが与えられる。
【０１０９】
図６Ｂは、アーム７１Ｂがエンボス加工ローラ３から十分な距離をとり、それと干渉しないようにしている位置を示している。アーム７１Ｂのピン７１Ｐは、ローラ３の上側領域におけるその外側で、同ローラ３の前に位置している。
【０１１０】
図７Ａ及び７Ｂは、アーム７１Ｂがとる次の位置を示しており、アーム７１Ｂは、お互いに向かって矢印ｆｘで示す方向に動いている。この段階では、アーム７１のピン７１Pは、エンボス加工ローラ３の各端部３Aの縁部の周りに設けられた環状通路３Cに挿入されている。ピン７１P及び通路３Cの位置は、図７A及び７Bに示した位置において、ピン７１Pと通路３Cとの間に相互接触はないが、相互距離が例えば、１〜２ｍｍの短い距離になるようにされ得る。
【０１１１】
図８A及び図８Bに示された次の段階では、心押台７５及び７７はエンボス加工ローラ３から離れる方向に動き、その結果、ローラが、その通路３Cを介して、マニピュレータ７１のアーム７１Bのピン７１Pに載るようにしている。
【０１１２】
心押台７５及び７７が、マニピュレータ７１のアーム７１Bの動きと干渉しないように、各側面部材３１に向けて収容されると、マニピュレータ７１が、軸線７１Aを中心に回転することによって、エンボス加工ローラ３をマガジン４１に向けて移送するよう作動する。
【０１１３】
図９A及び９Bは、マニピュレータ７１のアーム７１Bが回転させられ、エンボス加工ローラ３をマガジン４１の中に挿入する位置に達している状態を概略的に示しており、この位置は、図５Dに示した位置に対応している。
【０１１４】
一度、図９Bに示した位置に達すると、エンボス加工ローラ３はマニピュレータ７１によって解放され得る。これは、二つのアーム７１Bを、矢印ｆｘ‘（図１０B参照）で示す方向に動かして、それらを相互に離れる方向に動かし、エンボス加工ローラ３の各通路３Cからピン７１Pを外すことによって達成される。
【０１１５】
この段階で、エンボス加工ローラ３は、マガジン４１の回転ユニット４３の各シートの中に解放され、マニピュレータ７１はその軸線７１Aを中心に回転して、回転ユニット４３の軌道の外に出て、回転ユニット４３が一段階又は二段階回転して、複数のマガジンシートの一つから新しいエンボス加工ローラを取り出す次の処理を実行することを可能にする。新しいエンボス加工ローラを取り出すためにマニピュレータ７１によって実行される動きは、実質的に、図６A〜図１０Bを参照して上述した動きと反対の動きである。
【０１１６】
上述したエンボス加工ローラ移送動作の間、ピン７１Pは、環状通路３Cの内側を転動し得る。これにより、マガジンに向けてエンボス加工ローラ３を移送する間に、エンボス加工ローラ３とピンとの間の動作を可能にするために必要とされる自由度が得られる。
【０１１７】
上述したエンボス・ラミネート加工装置は、図５A〜図５Lのシーケンスを参照して先に説明したモードに加えて、様々なモードで機能し得る。例えば、図１１は、三つの交換可能なエンボス加工ローラがマガジン４１に配置されており、エンボス・ラミネート加工装置１に一時的配置された二つのエンボス加工ローラ３及び９を交換できるバージョンを示している。この図面では、エンボス加工ローラは以下のように示されている。
・エンボス・ラミネート加工装置１の下側部分にエンボス加工ローラAFが配置されている。
（図１において符号３で示したエンボス加工ローラに対応している。）
・エンボス・ラミネート加工装置１の上側部分にエンボス加工ローラADが配置されている。
（図１において符号９で示したエンボス加工ローラに対応している。）
・IF,ID1,ID2の三つのエンボス加工ローラがマガジン４１に配置されている。
【０１１８】
例えば、符号Aが付けられたローラは、キッチンロールの製造を意図したウェブ材料Nをエンボス加工するように構成され得る。より具体的には、エンボス加工ローラADには、それによって層V２が処理される装飾パターンが設けられ得、エンボス加工ローラAFには、層V1にエンボス加工するための背景パターンが設けられ得る。背景パターンは、例えば、マイクロエンボスを形成するための小さな寸法を持った単純な幾何学形状（切頭円錐形又は切頭ピラミッド形）の複数の突起で形成され得、それは主として技術的な機能を有する。
【０１１９】
他方、エンボス加工ローラIF、ID１及びID２には、トイレットペーパーの製造を意図した突起が設けられ得る。より具体的には、ローラIFは、層V１に、背景エンボス、例えば、マイクロエンボスを生成することを意図した突起を有し得る。エンボス加工ローラID１及びID2には、衛生用品の上側、即ち、外側層V２を処理するための二種類の異なる装飾が形成され得る。
【０１２０】
図１１に示した装置のセットアップは、キッチンロールを製造することを意図したウェブ材料Nを製造するように配置されており、そこでは、層V１には、エンボス加工ローラAFを用いて背景エンボスがエンボス加工され、巻取中にロールの外側に位置する層V2にはエンボス加工ローラADを用いて装飾エンボスが施される。
【０１２１】
この基本的構成から第二製品、例えば、トイレットペーパーの製造への切り替えをするための工程は、装置の停止と、例えば、同時移動によりローラAD及びAFの両方を、それぞれローラID1及びIFに交換する工程とを含む。
【０１２２】
エンボス加工ローラIFによって層V１に設けられる同じ背景エンボスデザインを持ち、かつ、層V２に異なるパターンを持つ衛星材料を製造する必要がある場合、上述した方法と同様の方法を用いて、エンボス加工ローラID１を、エンボス加工ローラID２に交換するだけで十分であり、それにより、二つの代わりに一つのエンボス加工ローラだけが交換される。
【０１２３】
第三の刻設ローラをマガジン４１に加えることによって、エンボス・ラミネート加工装置１のセットアップに大きな柔軟性を持たせることが可能になる。図１２は、マガジン４１が四つの交換可能なエンボス加工ローラIF、ID１,ID2及びID3を含む構成を示している。このセットアップによって、装置は、図１２に示した構成においてエンボス・ラミネート加工装置１における動作位置にあるローラAD及びAFを用いて、例えば、キッチンロールを製造することが可能である。エンボス加工ローラの適切な交換によって、エンボス加工ローラAFをエンボス加工ローラIFと交換し、そして、エンボス加工ローラADを三つのエンボス加工ローラID１,ID2及びID３の一つ又は他のローラと交換することにより、エンボス・ラミネート加工装置は、三つの異なるタイプの衛星製品を製造することができる。三つのエンボス加工ローラID１,ID2及びID３は、三つの異なるパターンで削られた装飾を有する。
【０１２４】
別の実施例では、マガジン４１の一つ又は二つのローラは、キッチンロールの製造のために一つの層を処理することを意図しており、その場合、エンボス・ラミネート加工装置１にあるローラADは交換するが、ローラAFは交換しない。
【０１２５】
図１２に示した構造の場合、マガジン４１においてエンボス加工ローラを交換するために利用可能な自由のシートが一つだけであるので、ローラAD及びAFの交換は二段階で実行される。従って、第一に、エンボス加工ローラADが、マニピュレータ７３を用いてエンボス加工ローラID１、ID2又はID３の一つと交換され、その後、エンボス加工ローラAFがマニピュレータ７１を用いてエンボス加工ローラIFと交換されるか、又は、その逆の処理が行われる。
【０１２６】
マガジン４１におけるシートの数を増やすことによって、エンボス加工ローラを交換することによって得ることができる製品の数を増やすことが可能になる。幾つかの実施例では、マガジン４１からのエンボス加工ローラを、例えば、スライド１０３（図５L参照）を用いて外部から来る他のローラと交換することができるので、エンボス・ラミネート加工装置１の多様性はさらに増やされる。
【０１２７】
マニピュレータ７１及び７３のアームの回転動作により、各エンボス加工ローラを作動位置から離れる方向に動かし、それをマガジンに挿入し、マガジンからローラを取り出し、取り出したローラを作動位置に移動することが、一度に一つのエンボス加工ローラを動かす場合に、周囲のローラ、特に、加圧ローラ及び／又はラミネート加工ローラ、及び／又は他のエンボス加工ローラと衝突することなく可能になる。
【０１２８】
図１３〜図２８は、エンボス・ラミネート加工装置の別の実施例を示している。図１３〜図２７は、上側エンボス加工ローラを交換するための様々な段階におけるエンボス・ラミネート加工装置の概略側面図を示している。
【０１２９】
図１３は、ウェブ材料Nを製造している段階にあるエンボス・ラミネート加工装置２００を示している。ウェブ材料Nは、二つの連続層V１及びV２を接着することによって得られ得る。図１３において、二つの層V１及びV２の軌道は、全体が符号P１及びP２で示されている。他の実施例では、ウェブ材料Nを構成する層の数は二つより多くてよく、かつ、二つ以上の層供給軌道があり得る。
【０１３０】
各層V1及びV2は、例えば、エンボス・ラミネート加工装置２００の上流にある層接着ユニット又はエンボス加工ユニットを用いて、重なり合って、場合によっては接着されている一つ又はそれ以上の層、シート又は構成要素で形成されてもよい。
【０１３１】
図示実施例では、エンボス・ラミネート加工装置２００は、符号２０１で全体を示す耐荷重構造体を有する。耐荷重構造体は、二つの側面部材２０３及び基部構造体２０５を有する。
【０１３２】
幾つかの実施例では、耐荷重構造体２０１の二つの側面部材２０３の間に、第一エンボス加工ローラ２０７及び第二エンボス加工ローラ２０９が配置され得る。第一エンボス加工ローラ２０７には、図１３Aの拡大図に示すようにエンボス突起２０７Pが設けられ得、第二エンボス加工ローラ２０９には、図１３Bの拡大図に示すようにエンボス突起２０９Pが設けられ得る。
【０１３３】
第一エンボス加工ローラ２０７は、第一加圧ローラ２１１と協働し得る。幾つかの実施例では、加圧ローラ２１１は、柔軟な材料、好ましくは、弾性的に柔軟な材料、例えば、ゴムから成る外側層２１１Aでコートされ得る。第二エンボス加工ローラ２０９は、第二加圧ローラ２１３と協働し得る。幾つかの実施例では、加圧ローラ２１３も、柔軟な材料、特に、弾性的に柔軟な材料から成る外側層２１３Aでコートされ得る。
【０１３４】
符号２０７X、２０９X、２１１X及び２１３Xは、二つのエンボス加工ローラ２０７及び２０９並びに二つの加圧ローラ２１１及び２１３の回転軸線を各々示している。これらの軸線は、実質的に相互に平行である。
【０１３５】
第一エンボス加工ローラ２０７及び第一加圧ローラ２１１は、それらの間に、第一エンボス加工ニップ２１５を形成し、第一層V１が該ニップ２１５を通過して、第一エンボス加工ローラ２０７の突起２０７Pによってエンボス加工される。加圧ローラ２１１に柔軟な外側コーティング２１１Aが設けられている場合、突起２０７Pは、第一加圧ローラ２１１に押し付けられ、柔軟なコーティング２１１Aに侵入し、それにより、層V１を恒久的に変形する。
【０１３６】
第二エンボス加工ローラ２０９及び第二加圧ローラ２１３は、第二エンボス加工ニップ２１７を形成し、第二層V２は、そのニップ２１７を通過する。第二層V2は、第二エンボス加工ローラ２０９の突起２０９Pを第二加圧ローラ２１３に押し付けて得られる効果により、第一層V１と同様の方法でエンボス加工される。この第二加圧ローラ２１３に弾性的に柔軟なコーティング２１３Aが設けられている場合、エンボス突起２０９Pは柔軟なコーティングに侵入し、層V2を恒久的に変形させる。
【０１３７】
二つの加圧ローラ２１１及び２１３は、アーム又は他の部材で支持され得、以下に説明する目的のために、各エンボス加工ローラ２０７及び２０９に向けて、又はこれらのローラから離れる方向に動くことを可能にする。作動装置（不図示）、例えば、シリンダピストン式作動装置が、第一エンボス加工ローラ２０７に対して加圧ローラ２１１を押し付けるために、そして、第二加圧ローラ２１３を第二エンボス加工ローラ２０９に押し付けるために使用され得る。
【０１３８】
幾つかの実施例では、二つのエンボス加工ローラ２０７及び２０９は、先端から先端に作用するように、即ち、それらの突起２０７P及び２０９Pが、二つのエンボス加工ローラ２０７及び２０９の間に形成されたニップ２１９において、互いに押し付けられるように構成され得る。
【０１３９】
別の実施例では、エンボス・ラミネート加工装置２００は、エンボス加工ローラ２０９に押し付けられ、前記エンボス加工ローラ２０９と共にラミネート加工ニップ２２３を形成するラミネート加工ローラ２２１を有する。この構成では、二つの層V１及びV２が、第二エンボス加工ローラ２０９とラミネート加工ローラ２２１との間でラミネート加工され得る。ニップ２１９では、エンボス加工ローラ２０７及び２０９は、相互に僅かに離れており、その結果、二つの層V１及びV２は接触していない。この場合、エンボス加工ユニットは、層V１のエンボス加工された突起間に層V２のエンボス加工された突起を入れ子にすること、及びその逆にすることで、所謂「入れ子式」技術を使用してエンボス加工材料を形成し得る。
【０１４０】
幾つかの実施例では、エンボス・ラミネート加工装置２００は、二者択一的に、先端・先端技術を使用して、又は、入れ子式技術を使用して動作するように構成され得る。この目的のために、例えば、エンボス加工ローラを、それらの軸線と平行に又は直交に移動可能にし、かつ、ラミネート加工ローラを、選択的に、作動位置と非作動位置に移動可能にすることが可能である。
【０１４１】
エンボス・ラミネート加工装置２００は、接着剤塗布ユニット２２５を有し得る。この接着剤塗布ユニット２２５は、接着剤源２２７と、第一パターンローラ、即ち、接着剤源２２７から接着剤を取り出すアニロックスローラ２２９と、パターンローラ２２９から接着剤を受け取り、その接着剤をエンボス加工された層V2の第二エンボス加工ローラ２０９に接触する部分に塗布する第二塗布用クリシェローラ２３１とを有し得る。一般的に、接着剤は、少なくともエンボス加工ローラ２０９に設けられたエンボス加工突起２０９Pの頭部の幾らかの領域において、エンボス加工突起２０９Pによってエンボス加工された層の部分に塗布される。
【０１４２】
幾つかの実施例では、接着剤塗布ユニット２２５は、スライド即ちキャリッジ２３３に設けられ、該キャリッジ２２３は、例えば、固定構造体２０１の構成要素によって支持されたガイド２３５に沿って両方向矢印ｆ２３３の方向に動き得る。両方向矢印ｆ２３３の方向における動きは、特別な作動装置、例えば、シリンダピストン作動装置、電機モータ又は不図示の任意の他のタイプの適当な作動装置を用いて、制御され得る。
【０１４３】
幾つかの実施例では、キャリッジ２３３が、一つ又は複数の実質的に垂直な垂直部材２３７と関連付けされている。前記垂直部材２３７上には、該部材２３７に沿って両方向矢印ｆ２３９の方向に移動可能であるスライド２３９の移動のためのガイドが配置され得る。幾つかの実施例では、二つの垂直部材２３７が側面部材２０３の隣に配置され得る。各スライド２３９は、各側面部材２０３に配置され得る。図面では、一つだけの垂直部材及び一つだけのスライドが見えているが、第二の垂直部材及び第二のスライドが、図面で見えている垂直部材及びスライドの後ろ側に配置されていることは理解される。
【０１４４】
適当な作動装置（図示せず）が、両方向矢印ｆ２３９の方向でのスライド２３９又は各スライド２３９の昇降動作を制御するために設けられ得る。この目的のために、モータ、例えば、電機モータ又は水圧式モータによって駆動されるねじ棒部材が設けられ得る。このねじ棒部材は、スライドによって支持される雌ナットと係合され得る。別の実施例では、歯付きベルト又は他の連続可撓性部材を備えた機構が設けられ得、前記ベルトは少なくとも一つがモータ駆動されるプーリの周りに掛けられる。スライド２３９は、連続可撓性部材の一部分に接続され得、その結果、ベルトの動きによりスライドが垂直方向に動く。さらに別の実施例では、スライド２３９又は各スライド２３９の垂直な動きは、ラックアンドピニオンシステムを用いることによって、例えば、垂直部材２３７に固定されたラックと、スライド上にあるモータ駆動ピニオンを設けることによって得られ得る。二つの垂直部材及び二つのスライドが設けられる場合、二つのスライドのためのデュアル昇降機構が使用され得、二つのスライド２３９の同時昇降動作が得られるように、適切に電気的に連動され、かつ、同期される。
【０１４５】
有利な実施例では、各スライド２３９は、各マニピュレータ２４１を支持している。マニピュレータ２４１は、エンボス・ラミネート加工装置２００に装着されたエンボス加工ローラ２０７及び／又は２０９を、以下に説明するマガジンに収容された他のエンボス加工ローラに交換のためにエンボス加工ローラを動かすために使用される。二つ又はそれ以上のスライド２３９が設けられている場合、一連のマニピュレータ２４１が、複数のエンボス加工ローラを動かすための一つのマニピュレータを構成する。
【０１４６】
以下に説明するエンボス加工ローラの交換サイクルから明らかになるように、マニピュレータ２４１には複合動作が与えられ、有利には、例えば、水平方向と垂直方向の複合動作が与えられる。これにより、エンボス加工ローラが、各加圧ローラ及び／又は他のエンボス加工ローラから離れて、そこからエンボス加工ローラが下方へ動いてマガジンに移送され得る位置まで動くことを可能にしている。
【０１４７】
両方向矢印ｆ２３３の方向におけるキャリッジ２３３の動きにより、キャリッジ２３３の二つの実施可能な位置を示す図１３及び１４を比べることで分かるように、垂直部材２３７が水平方向に動く。その結果として、スライド又は複数のスライド２３９及びマニピュレータ２４１も、キャリッジ２３３と共に水平方向に移動し得る。
【０１４８】
さらにまた、上述したように、一つ又は複数のスライド２３９が、例えば、下側位置（図１３及び図１４）と上側位置（図１７及び図１８）との間で移動可能であり得る。
【０１４９】
従って、全体として、一つ又は複数のスライド２３９及びマニピュレータ２４１には、水平方向及び垂直方向の相互に直行する二つの移動軸線の方向の動きが与えられ、以下に説明するサイクルで、エンボス加工ローラを移動させて、それらを交換できるようにしている。
【０１５０】
基部構造体２０５には、複数のエンボス加工ローラ用のマガジン２４５が設けられ得、各エンボス加工ローラは、図１３に示した構造において耐荷重構造体２０１の側面部材２０３の間に装着された二つのエンボス加工ローラ２０７及び２０９の一方又は他方と入れ替わり得る。
【０１５１】
図示実施例では、マガジン２４５は、基部構造体２０５の内部に収容される。幾つかの実施例では、マガジン２４５は、両方向矢印ｆ２４７の方向の移動動作を持つユニット２４７を有し得、マガジン２４５に収容されている予備の交換可能なエンボス加工ローラの一つ又は他を選択することができるようにしている。
【０１５２】
図示実施例では、マガジン２４５は、五つのシート２４９A、２４９B、２４９C、２４９D及び２４９Eを備え、各々が各エンボス加工ローラを収容するように適合されている。図１３に示した構成では、マガジン２４５は、シート２４０A、２４９B、２４９D及び２４９Eに各々載置された四つのエンボス加工ローラ２５１，２５３，２５５及び２５７を収容している。図１３に示した状態では、中間シート２４９Cが空にされ、接着ローラ２３１の下方のほぼ中心位置に配置されている。
【０１５３】
図１３から分かるように、この実施例では、基部構造体２０５は、ユニット２４７の長さより長い移動方向ｆ２４７の寸法を有し、その結果、ユニット２４７は、基部構造体２０５の中で動いて、シート２４９A〜２４９Eの一つ又は他を、キャリッジ２３３がエンボス加工ローラ２０７及び２０９から離れる方向に動いた時に基礎構造体２０５の上側部分に形成され得る通路２６１に対応する領域に運び得る。エンボス加工ローラは、以下に説明するように、通路２６１を通して、マガジン２４５から離れる方向に、及びマガジン２４５に向けて移送される。
【０１５４】
装置の中にあるエンボス加工ローラ２０７及び２０９は、その作動位置において、側面部材２０３の間に完全に収容され得る。有利には、エンボス加工ローラ２０７及び２０９は、側面部材２０３に取り付けられた心押台７５及び７７によって保持されて回転され得る。心押台７５及び７７（図１３〜２８には示されていない）は、図２、３、４、４（SX)及び４（DX)を参照して先に説明したように構成され得る。
【０１５５】
エンボス加工ローラ２０７及び２０９は、心押台７５及び７７の軸線方向の動きによって、心押台７５及び７７から外され得る。上述したように、両方の心押台７５及び７７には、エンボス加工ローラ２０７及び２０９の回転軸線２０７X及び２０９Xと平行な動きが与えられ、各エンボス加工ローラをマニピュレータ２４１上に解放し、また、マニピュレータ２４１からエンボス加工ローラを取り去る。
【０１５６】
各エンボス加工ローラ（図１３におけるエンボス加工ローラ２０７及び２０９）を作動位置から、マガジン２４５のシート２４９A〜２４９Eの一つ又は他における収容位置まで取り出して移送すること及びその逆を可能にするために、幾つかの実施例では、各エンボス加工ローラに、カラー即ち環状突起部２６５が設けられ得る。図２８に二つのエンボス加工ローラ２０７及び２０９用の環状突起部を示す。マガジン２４５の中の予備エンボス加工ローラ２５１，２５３，２５５，２５７，２５９にもまた、同様の環状突起部２６５が設けられ得る。
【０１５７】
環状突起部２６５は、各々が、マニピュレータ２４１の各半月型支持要素２４１Aと係合する環状通路２６５Aを画定し得る。マニピュレータ２４１は、上述したように、二重であり得、同期して動く二つのスライド２３９Aで支持された二つの半月型支持要素２４１Aを有し得る。選択的に、二つの半月型支持要素２４１Aを一つのスライド２３９Aだけで支持するように構成してもよい。
【０１５８】
どのような構造が選ばれても、概して、マニピュレータ２４１は、様々なエンボス加工ローラ２０７、２０９、２５１〜２５７の一つ又は他の係合し、装置内にあるエンボス加工ローラ２０７及び２０９の一方若しくは他方又は両方のを、マガジン２４５にあるエンボス加工ローラ２５１〜２５７の一つ又は他に交換するために、それらを以下に説明する方法で動かすように構成される。
【０１５９】
有利には、環状突起部即ちカラー２６５は、図２８に示すように、各エンボス加工ローラ２０７及び２０９におけるエンボス加工突起２０９P及び２０７Pが形成された円筒表面の刻設領域の外側に配置される。この方法では、マニピュレータ２４１とエンボス加工ローラ２０７及び２０９（並びに同様に他のエンボス加工ローラ２５１〜２５７）との間の接触は、エンボス加工ローラの外側表面にある刻設された突起にダメージを与えない。
【０１６０】
図１３〜図２７は、第二エンボス加工ローラ、即ち、上側エンボス加工ローラ２０９の交換のための動作シーケンスを示している。このシーケンスは、以下により詳細に説明される。第一下側エンボス加工ローラ２０７が実質的に同様の動作シーケンスを使用して交換され得ることは理解されなければならない。
【０１６１】
図１３では、エンボス・ラミネート加工装置２００は以下に説明する動作状態にあり、即ち、第一層V１及び第二層V２が、エンボス加工ローラに向けて矢印ｆ１及びｆ２によって示される方向に前進し、一対のローラ２０７及び２１１並びに２０９及び２１３の間で別々にエンボス加工される。エンボス加工された層は、エンボス加工ローラ２０９とラミネート加工ローラ２２１との間で、接着されてラミネート加工され、その結果、多層ウェブ材料Nが形成され、該ウェブ材料Nは、下流にあるステーション、例えば、不図示の再巻取装置に向けて矢印ｆNの方向に進む。加圧ローラ２１３はエンボス加工ローラ２０９に押し付けられ、加圧ローラ２１１はエンボス加工ローラ２０７に押し付けられ、そして、ラミネート加工ローラ２２１は層V１及びV２を結合するためにエンボス加工ローラ２０９に押し付けられる。
【０１６２】
一つ又は両方のエンボス加工ローラ２０７及び２０９をマガジン２４５に配置された他のエンボス加工ローラと交換する必要がある場合、始めに、層V１及びV２の供給が止められ、そして、エンボス・ラミネート加工装置２００の様々なローラが止められる。キャリッジ２３３が、エンボス加工ローラ２０７及び２０９並びに加圧ローラ２１１及び２１３から離れる方向に動かされる。図１４は、キャリッジ２３３が、マガジン２４５における空のシート２４９Cの情報に開口２７１を残して、一対の側面部材２０３並びにエンボス加工ローラ２０７及び２０９から離れる方向に動かされたステップを示している。
【０１６３】
次のステップで、マニピュレータ２４１は、下方位置である基部構造体２０５の内部、即ち、エンボス・ラミネート加工装置２００の通常動作中にそれが留まる基部構造体２０５の領域から上昇され得る。マニピュレータ２４１は、図１５に示すように、上側エンボス加工ローラ２０９のカラー、即ち環状突起部２６５の高さに支持要素２４１Aがほぼ配置される位置まで上昇させられる。
【０１６４】
これらのエンボス加工ローラ交換動作中、エンボス加工ローラが、それを支持している心押台の間の位置から離れる前の適切な時点で、少なくとも交換するべきエンボス加工ローラと協働している加圧ローラが、各エンボス加工ローラから離れる方向に動かされ、エンボス加工ローラを移動することを可能にする。有利な実施例では、交換動作を始める前に、全ての加圧ローラ及びラミネート加工ローラが、エンボス加工ローラから離れる方向に動かされている。この方法では、例えば、ウェブ材料N並びに層V１及びV２を除去し、それによりローラを自由にすることが可能である。
【０１６５】
次のステップ（図１６）において、キャリッジ２３３は、再び、側面部材２０３に向けて動かされ、マニピュレータ２４１は、の支持要素２１４Aをカラー２６５の下方に持っていく。
【０１６６】
続けて、図１７に示すように、支持要素２４１Aを支持するスライド２３９又は一対のスライド２３９が僅かに持ち上げられ、支持要素２４１Aを、エンボス加工ローラ２０９のカラー、即ち、環状突部２６５と接触させる。
【０１６７】
これらの工程の間、エンボス加工ローラ２０９（及び他のエンボス加工ローラ２０７）は、心押台７５及び７７（図２〜４参照）によって支持されている。一度、支持要素２４１Aが環状凸部２６５に接触すると、心押台７５及び７７は、軸線方向運動によりエンボス加工ローラ２０９から離れる方向に動かされ、エンボス加工ローラ２０９は解放され得、その後、支持要素２４１Aによって支持される。
【０１６８】
次の動作ステップにおいて、キャリッジ２３３は、再び、側面部材２０３及び下側エンボス加工ローラ２０７から離れる方向に動かされ得る。この動きで（図１８）、マニピュレータ２４１は、は第二エンボス加工ローラ２０９を、側面部材２０３から引出し、即ち、それを、前のステップまでエンボス加工ローラ２０９を支持していた心押台（図１８には示されていない）から離れる方向に動かす。
【０１６９】
次のステップで、マニピュレータ２４１は下降され、支持要素２４１Aをマガジン２４５のシート２４９Cの高さまで持っていく。シート２４９C（他のシート２４９Ａ，２４９Ｂ，２４９Ｄ，２４９Ｅも同様）は、エンボス加工ローラを、エンボス加工突起２０７Ｐ及び２０９Ｐが刻設された最も直径が大きい領域で支持するように構成され得る。この方法では、エンボス加工ローラ２０９は、実質的に、シート２４９Ｃを画定する支持面の上に載っており、支持要素２４１Ａは下方の高さまで下降される。有利な実施例では、シート２４９Ａ〜２４９Ｅの支持表面は、好ましくは、エンボス加工ローラの円筒状面に形成されたエンボス用突起より柔軟性のある及び／又は柔らかい材料で形成される。この方法により、エンボス加工ローラがマガジン２４５内に収容されている時に、エンボス加工ローラにおけるエンボス用突起にダメージを与えることは防止される。
【０１７０】
エンボス・ラミネート加工装置２００から取り出されたエンボス加工ローラ２０９が、エンボス加工ローラ２５３と交換される必要がある場合、例えば、エンボス加工ローラ交換行程の次のステップにおいて、移動ユニット２４７が（図面において）左から右へワンステップで動かされる。この方法では（図２０参照）、エンボス加工ローラ２５３は、開口２７１の領域まで移動させられ、まだ下方位置にあるマニピュレータ２４１の支持要素２４１Ａの上に位置される。
【０１７１】
続いて、エンボス加工ローラ２５３は、図２１に示すように、マニピュレータ２４１によって上昇させられ、エンボス加工ローラ２５３の軸線２５３Ｘを、側面部材２０３によって支持された心押台（図示せず）の高さまで持ってくる。図２２は、次のステップを示しており、このステップでは、キャリッジ２３３は、再び、側面部材２０３の隣まで動くように移送され、エンボス加工ローラ２５３を、その軸線２５３Ｘを二つの心押台の軸線に並べて支持する。
【０１７２】
一度、図２２に示した位置に達すると、心押台は再びローラ２５３に向けて移動し、ローラ２５３の各端部でローラと係合し、マニピュレータ２４１がエンボス加工ローラ２５３から離れる方向に動くことができるようにする。この離れる動きは、最初は、図２２に示す位置から図２３に示す位置までの加工動作であり、それにより支持要素２４１Ａが、エンボス加工ローラ２５３のカラー、即ち環状突起２６５から外れる。
【０１７３】
次に、キャリッジ２３３は、再び、図２４に示すように、エンボス加工ローラ２５３及び２０７から離れる方向に動き、開口２７１を再び開き、マニピュレータ２４１が基礎構造体２０５に向けて下降することを可能にし、エンボス・ラミネート加工装置２００が動作を再開した時に、基礎構造体２０５の中でマニピュレータ２４１は、収容されたままになる。
【０１７４】
図２５では、マニピュレータ２４１がその下方位置に戻され、第一下方エンボス加工ローラ２０７が交換する必要がない場合、マニピュレータ２４１はこの位置に維持され、キャリッジ２３３は、図２６に示す位置に達するまで側面部材２０３の隣まで移送される。反対に、例えば、エンボス加工ローラ２０７も交換する必要がある場合、上述したサイクルが繰り返され、マニピュレータ２４１によってエンボス加工ローラ２０７が取り出され、装置２００のエンボス加工ローラ２０９の位置に丁度置かれたエンボス加工ローラ２５３によって空にされたシート２４９Ｂに、取り出したエンボス加工ローラ２０７を置く。ローラ２０７は、この時点で、マガジン２４５の中にあるエンボス加工ローラ２５１，２５７，２５９の一つ又は他と交換され得る。
【０１７５】
以上説明した動作サイクルでは、第一下方エンボス加工ローラ２０７は交換されず、従って、エンボス・ラミネート加工装置２００は、図２６に示した位置に戻り、層Ｖ１及びＶ２が、エンボス加工ローラ２０７及び２５３の周りの各軌道Ｐ１及びＰ２に導入されることを可能にする。加圧ローラ２１１及び２１３は、作動位置に持っていかれ、即ち、各エンボス加工ローラ２０７及び２５３に押し付けられ、ラミネート加工ローラ２２１は、作動位置に持っていかれて、エンボス加工ローラ２５３に押し付けられる。
【０１７６】
この時点で、エンボス・ラミネート加工装置２００は、再び、動作可能になり、図２７に示すように、多層ウェブ材料Ｎの製造を再開する。
【０１７７】
幾つかの実施例では、マガジン２４５のユニット２４７には、横断方向運動、即ち、エンボス加工ローラの軸線と平行に動く運動が与えられ得、例えば、マガジン２４５内のエンボス加工ローラの一つ又は他を、保管領域から来る他のエンボス加工ローラと取り換えるために、基部構造体２０５によって形成されるハウジング２０５Ａからユニット２４７を出すことができるようにされる。幾つかの実施例では、シャトルとして作用する、より移動可能な複数のユニット２４７が設けられ得、例えば、それらを二つの互いに直交する方向、即ち、矢印ｆ２４７で示す方向と、方向ｆ２４７と直交する水平方向に移動できるようにするシステムを有し、蓄積領域からエンボス・ラミネート加工装置２００へ、及びその逆へユニット２４７を移送できるようにし得る。
【０１７８】
他の実施例では、マガジン２４５に収容されたエンボス加工ローラの数が、エンボス・ラミネート加工装置２００の生産要求を全て満たすのに十分でない場合に、エンボス加工ローラは、可動ユニット２４７上に置かれ、フォークリフト若しくはオーバーヘッドクレーンを使用して、又は、任意の他の操作システムを使用して、そこから、降ろされ得る。
【０１７９】
エンボス加工装置の動作中、マガジン２４５は、好ましくは、汚染物（接着剤、セルロース繊維等）がマガジンの中に入ることを防止するために閉鎖される。
【０１８０】
図２９〜３２は、エンボス・ラミネート加工装置２００の別の実施例を示しており、この装置は、図１３〜２８に示した構成と類似の構成を有する。同じ参照符号は、上述した図面に示された部材と同一又は同等の部材を指す。この実施例と図１３〜図２８に示した実施例との間の主たる違いを以下に説明していく。この実施例におけるエンボス・ラミネート加工装置の動作は、実質的に、先に図面を参照して説明した動作と同じである。
【０１８１】
図２９〜３２に示した実施例では、各ガイド３０１が二つの垂直部材２３７に、構造体の各側に一つづつ適用される。ブロック３０３が、ガイド３０１上の各スライド２３９が硬く係合し、前記スライド２３９は、図１３〜２８に示したスライド２３９と同様の機能を有する。図２９〜３２に示した実施例では、各スライド２３９は、雌ナット３０５に堅く接続され、前記雌ナット３０５は、垂直部材に回転可能に支持される各垂直部材２３７のネジ付棒３０７と噛合する。各ネジ付棒３０７は、モータ３０９、例えば、電気式、水圧式又は他の形式のモータによって回転させられる。各ネジ付棒３０７は、各ネジ付き棒３０７のモータ３０９と対向する端部に設けられ得る角度エンコーダ３１１に関連付けられ得る。エンコーダ３１１は、モータ３０９によって制御されたネジ付棒３０７の回転運動の位相を維持することを可能にし、その結果、各スライド２３９が、両方向矢印ｆ２３９の方向で同じ動きをし、即ち、スライド２３９が両方向矢印ｆ２３９の方向で同期して動く。
【０１８２】
各スライドは、係合部材２４１Ａを支持し得る。二つの係合部材２４１Ａは、エンボス加工ローラ２０７，２０９及び２５１〜２５９を動かすためのマニピュレータと組み合わせて形成する。モータ３０９は、エンボス加工ローラの操作及び動作のために係合部材２４１Ａの同期上昇及び下降動作を制御する。
【０１８３】
エンボス・ラミネート加工装置２００の構造体２０１の側面部材２０３は、二つのシート３２１及び３２３を有し得、そこで、以下に説明する方法で、第一エンボス加工ローラ２０７と第二エンボス加工ローラ２０９が係合する。
【０１８４】
各シート３２１及び３２３は、固定部分３２１Ａ及び３２３Ａ並びに可動部分３２１Ｂ及び３２３Ｂによって画定される。可動部分３２１Ｂには、両方向矢印ｆ３２１の方向の振動運動が与えられ、それは符号３２５が付された作動装置、例えば、電気モータ、水圧式モータ又は他の作動装置によって制御され得る。同様に、シート３２３の可動部分３２３Ｂには、各作動装置、例えば、電気モータ又は水圧式モータ３２７によって制御される両方向矢印ｆ３２３の方向の運動が与えられる。可動部分３２１Ｂ及び３２３Ｂ並びに各モータ３２５及び３２７の構成は、二つの側面部材２０３上に再現され、各々第一エンボス加工ローラ２０７用及び第二エンボス加工ローラ２０９用である二つの対向するシート３２１及び３２３を画定するようにしている。
【０１８５】
幾つかの実施例では、安全性を高めるために、シート３２１及び３２３の可動部分３２１Ｂ及び３２３Ｂに、水圧的又は機械的に制御される閉鎖したシート位置におけるロック機構、例えば、グリッパ、ラッチ又は他のロック機構が設けられ得る。
【０１８６】
特に図３２から明らかなように、一般的なエンボス加工ローラ２０７及び２０９は、二つの端部、即ち、ネック部２０８及び２１０を有し、それぞれに、各支持及び回転ベアリング３３１及び３３３が設けられる。エンボス加工ローラ２０７及び２０９が、マニピュレータ２４１を用いて、エンボス・ラミネート加工装置の耐荷重構造体の側面部材２０３に装着されると、エンボス加工ローラの二つの支持及び回転ベアリング３３１及び３３３が、二つの対向する側面部材２０３のシート３２１又は３２３に挿入される。この目的のために、ローラの挿入を可能にするために、可動部分３２１Ｂ又は３２３Ｂが、添付図面に示すように開けられ、シート３２３の部分３２３Ｂが開けられ、各エンボス加工ローラ２０９の挿入及び取出しが可能になり、部分３２１Ｂが閉鎖され、作動ローラ２０７が作動位置に保持される。
【０１８７】
マニピュレータを用いたエンボス加工ローラ２０７及び２０９の動作は、実質的に図１３〜２８を参照して説明した動作に対応する軌道に従う。マニピュレータ２４１及びマニピュレータによって支持されるエンボス加工ローラの動きは、シート３２１及び３２３の可動部分３２１Ｂ及び３２３Ｂの開閉に同期する。より詳細には、上述した動作は、有利には、各シート３２１及び３２３の可動部分３２１Ｂ又は３２３Ｂが、各エンボス加工ローラ２０７及び２０９の端部、即ち、首部２０８及び２１０がマニピュレータ２４１の対向する係合部材２４１Ａによって係合された後にのみ開かれるように調整される。一度、エンボス加工ローラ２０７及び２０９の首部、即ち、端部２０８及び２１０が係合され、各シート３２１及び３２３の可動部分３２１Ｂ及び３２３Ｂが開かれると、エンボス加工ローラは取り外され得る。例えば、下方のマガジン２４５から持ってきた新しいエンボス加工ローラが、マニピュレータ２４１を用いて、再びローラの回転軸線Ａ−Ａと直交する方向へネック２０８及び２１０を挿入するする動きによって挿入され得、同時に、シート３２１又は３２３の可動部分３２１Ｂ又は３２３Ｂが開かれる。シートの可動部分が閉鎖した後のみ、マニピュレータ２４１は、そのシートに丁度搭載されたエンボス加工ローラから外される。
【０１８８】
各可動部分３２１Ｂ及び３２３Ｂと作動装置３２５及び３２７とを有するシート３２１並びに支持回転ベアリグ３３１及び３３３は、エンボス加工ローラ２０７及び２０９用の支持回転システムの一部を構成する。この支持回転システムは、前の実施例を参照して説明された心押台によって形成される支持回転システムの別の実施例を構成する。図２９〜３２に示されたようなシステムと同じような支持回転システムが、また、図１〜２８に示された実施例において使用され得る。
【０１８９】
エンボス加工ローラの取り出し及び挿入を妨害することなく、各エンボス加工ローラ２０７及び２０９へ回転運動を伝達するために、幾つかの実施例によれば、各エンボス加工ローラ２０７及び２０９は、プーリ３３７（図３２参照）を有し得る。前記プーリ３３７は、二つの端部、即ち、首部２０８及び２１０の一方又は他方に取り付けられ得る。各プーリ３３７は、各エンボス加工ローラ２０７及び２０９を回転させるための機械伝達構造の一部を構成し、エンボス・ラミネート加工装置の耐荷重構造の二つの側面部材２０３の一方又は他方に支持された対応する連続可撓性部材と協働する。
【０１９０】
実施例として、図３１は二つの連続可撓性部材３３９を示している。これら可撓性部材３３９は、水平面に対して実質的に対称であり、二つの重なったエンボス加工ローラ２０７及び２０９を回転させるような構成で配置されている。各連続可撓性部材３３９は、実質的に、二重歯付ベルト、巣案和知、両側に歯が設けられたベルトから成る。他の実施例では、各連続可撓性部材３３９はチェーンで構成され得る。
【０１９１】
有利には、各連続可撓性部材３３９は閉通路を構成し、各ローラ２０７及び２０９の回転軸線Ａ−Ａは前記閉通路の外側に位置する。即ち、前記閉通路は、各エンボス加工ローラの回転軸線Ａ−Ａを囲まないように構成される。
【０１９２】
各連続可撓性部材３３９は、複数のプーリ、即ち、リターンホイール３４１，４３４，３４５，３４７，３４９及び３５０に巻かれ得る。これらのリターンホイール３４１〜３５０の少なくとも一つはモータ駆動され、好ましくは、一つ又は二つの可動軸を有する。図示実施例では、各リターン部材３４７がモータ駆動され、モータ３５１によって駆動され得、各エンボス加工ローラ２０７及び２０９を回転させる。リターン部材３４５は、旋回アーム３５３に設けられ得、テンショナーとして機能する。リターン部材３４９は、二つの別の位置をとるために両方向矢印ｆ３４９の方向に移動可能であり得、その第二の位置は図３１に符号３４９Ｘで示されている。この図面では、エンボス加工ローラ２０７と関連付けられた連続可撓性部材３３９は、側面部材２０３の間に設けられ得たエンボス加工ローラ２０７と共に作動位置にあり、他方、エンボス加工ローラ２０９と関連付けられた連続可撓性部材３３９は、各エンボス加工ローラ２０９がそのシートから取り外された時に想定される位置にある。
【０１９３】
作動状態において、連続可撓性部材３３９は、各エンボス加工ローラ２０７及び２０９のプーリ３３７の周りに部分的に巻かれ、リターン部材３４５によって締め付けられる。リターン部材３４９は位置３４９Ｘにある。エンボス加工ローラ２０７及び２０９を取り外す必要がある場合、リターン部材３４９が、位置３４９Ｘから図面に符号３４９で示す位置に動き、各可撓性部材３３９を締め付けて、可撓性部材３３９をリターン部材３４３及び３４５に対して接線位置に持っていく。同時に、プーリ３３７は、各エンボス加工ローラ２０７及び２０９の移動の結果として取り除かれる。
【０１９４】
この方法では、各モータ３５１を用いて各エンボス加工ローラ２０７及び２０９へ回転運動を伝達し、同時に、その軸線に直交する方向に各エンボス加工ローラ２０７及び２０９を取り出し及び挿入することが可能になり、その結果、運動伝達が各エンボス加工ローラの挿入及び取出し動作と干渉することなく、エンボス加工ローラのシートからの取り出し及びシートへの挿入が可能になる。
【０１９５】
ここで説明した構成要件を備えた実施例が図面に示され、かつ、幾つかの例示的な実施例と関連付けして詳細に上述されているが、添付した特許請求の範囲で限定した構成要件の効果並びに本明細書で説明した新規事項、原理及び概念から逸脱することなく、多くの改良、変更及び省略が可能であることは当業者には明らかである。従って、そのような改良、変更及び省略を全て包含するように、説明された発明の適切な範囲は、添付した特許請求の範囲の最も広い解釈によってのみ決定されるべきである。加えて、任意の処理又は方法のステップの順序、即ち、シーケンスは、別の実施例に従って変更又は再配列され得る。
【図１−１Ｂ】
0006764398.tif 000002
【図２】
0006764398.tif 000003
【図３】
0006764398.tif 000004
【図４】
0006764398.tif 000005
【図４（ＳＸ）．４（ＤＸ）】
0006764398.tif 000006
【図５Ａ】
0006764398.tif 000007
【図５Ｂ】
0006764398.tif 000008
【図５Ｃ】
0006764398.tif 000009
【図５Ｄ】
0006764398.tif 000010
【図５Ｅ】
0006764398.tif 000011
【図５Ｆ】
0006764398.tif 000012
【図５Ｇ】
0006764398.tif 000013
【図５Ｈ】
0006764398.tif 000014
【図５Ｉ】
0006764398.tif 000015
【図５Ｊ】
0006764398.tif 000016
【図５Ｋ】
0006764398.tif 000017
【図５Ｌ】
0006764398.tif 000018
【図６Ａ】
0006764398.tif 000019
【図６Ｂ】
0006764398.tif 000020
【図７Ａ】
0006764398.tif 000021
【図７Ｂ】
0006764398.tif 000022
【図８Ａ】
0006764398.tif 000023
【図８Ｂ】
0006764398.tif 000024
【図９Ａ】
0006764398.tif 000025
【図９Ｂ】
0006764398.tif 000026
【図１０Ａ】
0006764398.tif 000027
【図１０Ｂ】
0006764398.tif 000028
【図１１】
0006764398.tif 000029
【図１２】
0006764398.tif 000030
【図１３】
0006764398.tif 000031
【図１３Ａ】
0006764398.tif 000032
【図１３Ｂ】
0006764398.tif 000033
【図１４】
0006764398.tif 000034
【図１５】
0006764398.tif 000035
【図１６】
0006764398.tif 000036
【図１７】
0006764398.tif 000037
【図１８】
0006764398.tif 000038
【図１９】
0006764398.tif 000039
【図２０】
0006764398.tif 000040
【図２１】
0006764398.tif 000041
【図２２】
0006764398.tif 000042
【図２３】
0006764398.tif 000043
【図２４】
0006764398.tif 000044
【図２５】
0006764398.tif 000045
【図２６】
0006764398.tif 000046
【図２７】
0006764398.tif 000047
【図２８】
0006764398.tif 000048
【図２９】
0006764398.tif 000049
【図３０】
0006764398.tif 000050
【図３１】
0006764398.tif 000051
【図３２】
0006764398.tif 000052